(57)【要約】  ゴルフクラブのシャフトを受容する穴を各々有する、グリップ部分、およびグリップ部分に隣接したフロント部分を有するゴルフクラブのグリップが提供される。フロント部分は、ゴルファーの手の下の錘を備える重み付けしたゴルフグリップを提供するよう重み付けされ、ゴルフクラブのヘッドの重量を効果的に増加させる。ゴルフクラブのグリップは合計重量を有し、グリップのフロント部分は合計重量の３０％以上の重量を有する。【選択図】図１
2019535443.tif 000002
【特許請求の範囲】
【請求項１】
ゴルフクラブ用グリップであって、
第１端部および第２端部と穴とを有するグリップ部分であって、前記穴が前記第１端部で前記ゴルフクラブのシャフトを受容する前記グリップ部分を通り長手方向に延びる、グリップ部分と、
前記グリップ部分の前記第２端部に隣接するバック部分と、
前記第１端部で前記グリップ部分に隣接するフロント部分であって、第１端部および第２端部と穴とを有し、前記ゴルフクラブの前記シャフトが前記穴を通り、かつ前記グリップ部分の前記穴内に延びるよう構成されるように、前記穴が前記フロント部分を通り長手方向に延びる、フロント部分と、を含み、
前記グリップの合計重量が第１重量であり、前記フロント部分が前記第１重量の３０％以上である第２重量である、グリップ。
【請求項２】
前記フロント部分が前記穴と、前記第１端部で前記穴内に配置されたスペーサと、を画定する本体を含み、前記スペーサが前記シャフトの外側表面と当接するよう構成されている、請求項１に記載のグリップ。
【請求項３】
前記フロント部分の前記穴が第１直径部分と、前記第１直径部分より大きい第２直径部分を有し、前記スペーサが前記第２直径部分に配置される、請求項２に記載のグリップ。
【請求項４】
前記フロント部分が前記スペーサによって当接された、前記第１直径部分と前記第２直径部分との間のショルダを含む、請求項３に記載のグリップ。
【請求項５】
前記フロント部分の前記本体が前記第２端部から前記第１端部の方に長手方向に延びる１以上のスロットを含み、前記スロットが前記本体の壁を通り前記穴内に延びる、請求項２ないし４のいずれか一項に記載のグリップ。
【請求項６】
前記スペーサが前記シャフトを取り囲み、かつ流体および／または破片を前記穴に入ることから抑制するように前記シャフトをシールするよう構成された圧縮可能材料製である、請求項２ないし５のいずれか一項に記載のグリップ。
【請求項７】
前記スペーサが前記穴内に配置された第１部分と、前記第１端部で前記フロント部分の端面と当接し、かつ前記第１端部を超えて延びる第２部分と、を有する、請求項２ないし６のいずれか一項に記載のグリップ。
【請求項８】
前記本体が前記グリップ部分の前記穴内に配置された第１部分と、前記第１端部で前記グリップ部分の端面と当接し、かつ前記第１端部から離れるようなテーパである第２部分と、を含む、請求項２ないし７のいずれか一項に記載のグリップ。
【請求項９】
前記グリップ部分の前記穴が第１直径部分と、前記第１直径部分より大きい第２直径部分と、を有し、前記フロント部分の前記本体の第１部分が前記グリップ部分の前記第２直径部分内に配置される、請求項８に記載のグリップ。
【請求項１０】
前記グリップ部分が前記フロント部分の前記本体の前記第１部分によって当接された、前記第１直径部分と前記第２直径部分との間の内部ショルダを含む、請求項９に記載のグリップ。
【請求項１１】
前記第２重量が７５グラム以上である、請求項１ないし１０のいずれか一項に記載のグリップ。
【請求項１２】
前記第２重量が前記第１重量の５０％以上である、請求項１ないし１１のいずれか一項に記載のグリップ。
【請求項１３】
前記フロント部分がそこを通り長手方向に延びる１以上のスロットを含み、１以上の錘が前記１以上のスロットのそれぞれ内に配置される、請求項１に記載のグリップ。
【請求項１４】
前記フロント部分は、共に連結され、前記フロント部分を形成する第１部分および第２部分を含み、前記第１部分および前記第２部分は、前記グリップ部分の前記穴内に配置された部分と、前記第１端部で前記グリップ部分の端面と当接し、かつ前記第１端部から離れるようなテーパである別の部分と、を各々有する、請求項１に記載のグリップ。
【請求項１５】
前記フロント部分が前記グリップ部分の前記穴内に配置された第１部分と、前記第１端部で前記グリップ部分の端面と当接し、前記第１端部から離れるようなテーパである第２部分と、を含み、前記第２部分が１以上の錘を受容するよう各々構成された複数の開口を有する、請求項１に記載のグリップ。
【請求項１６】
前記フロント部分が前記グリップ部分の前記穴内に配置された第１部分と、前記第１端部で前記グリップ部分の端面と当接し、前記第１端部から離れるようなテーパである第２部分と、を含み、前記第２部分が互いに接続する錘の対を受容するよう構成された開口を含む、請求項１に記載のグリップ。
【請求項１７】
前記フロント部分が、前記グリップ部分の前記穴内に配置されたスリーブと、共に連結され、かつ前記スリーブと、前記グリップ部分の前記第１端部から離れるようなテーパであるテーパ部分とによって取り囲まれたグリップ部分を各々有する第１部分および第２部分と、グリップ部分の外側表面における溝内で、前記スリーブの内側表面における溝内に受容されるリングと、を含む、請求項１に記載のグリップ。
【請求項１８】
前記グリップ部分を取り囲むラップであって、前記フロント部分の隣接する外側表面と前記バック部分の隣接する外側表面と実質的に同一平面である外側表面を有する前記ラップをさらに含み、前記フロント部分および前記バック部分が、前記グリップ部分の断面領域より大きい、前記グリップ部分の前記第１端部および第２端部のそれぞれに隣接する断面領域を各々有する、請求項１ないし１７のいずれか一項に記載のグリップ。
【請求項１９】
前記バック部分が前記グリップ部分内の前記穴と連通し、かつ実質的に垂直であるベント通路を有する、請求項１ないし１８のいずれか一項に記載のグリップ。
【請求項２０】
前記バック部分が前記グリップ部分の前記第２端部に隣接する第１端部と、前記第１端部から離間する第２端部と、前記バック部分を通り長手方向に延びる穴と、前記穴と連通し、かつ実質的に垂直なベント通路と、を有し、前記バック部分の前記穴が前記グリップ部分の前記穴と連通する、請求項１ないし１９のいずれか一項に記載のグリップ。
【請求項２１】
前記グリップ部分が長手方向に延びる湾曲側面の対に各々結合された長手方向に延びる平行で平坦な側面の対を有する、請求項１ないし２０のいずれか一項に記載のグリップ。
【請求項２２】
ゴルフクラブ用グリップであって、
使用中に握るためゴルファーの手のため領域を画定するグリップ部分と、
前記グリップ部分と前記ゴルフクラブのヘッドとの間のフロント部分と、を含み、
前記グリップ部分および前記フロント部分が前記グリップの長さを画定し、
前記長さが、下側三分の一と、上側三分の一と、および前記下側三分の一と前記上側三分の一との間の中央三分の一とを含み、前記下側三分の一が前記ゴルフクラブの前記ヘッドと前記中央および上側三分の一との間にあり、
前記グリップの前記下側三分の一の重量が前記グリップの前記中央および上側三分の一の総合重量の８０％以上である、グリップ。
【請求項２３】
前記グリップの前記下側三分の一の前記重量が前記グリップの前記中央および上側三分の一の前記総合重量以上である、請求項２２に記載のグリップ。
【請求項２４】
前記フロント部分が穴と、前記第１端部で前記穴内に配置されたスペーサと、を画定する本体を含み、前記スペーサが前記ゴルフクラブのシャフトの外側表面と当接するよう構成されている、請求項２２または２３に記載のグリップ。
【請求項２５】
前記フロント部分の前記穴が第１直径部分と、前記第１直径部分より大きい第２直径部分を有し、前記スペーサが前記第２直径部分に配置される、請求項２４に記載のグリップ。
【請求項２６】
前記フロント部分が前記スペーサによって当接された、前記第１直径部分と前記第２直径部分との間のショルダを含む、請求項２５に記載のグリップ。
【請求項２７】
前記フロント部分の前記本体が前記フロント部分の第２端部から第１端部の方に長手方向に延びる１以上のスロットを含み、前記スロットが前記本体の壁を通り前記穴内に延びる、請求項２４ないし２６のいずれか一項に記載のグリップ。
【請求項２８】
前記スペーサが前記ゴルフクラブのシャフトを取り囲み、かつ流体および／または破片を前記穴に入ることから抑制するように前記シャフトをシールするよう構成された圧縮可能材料製である、請求項２４ないし２７のいずれか一項に記載のグリップ。
【請求項２９】
前記スペーサが前記穴内に配置された第１部分と、前記第１端部で前記フロント部分の端面と当接し、かつ前記第１端部を超えて延びる第２部分と、を有する、請求項２４ないし２８のいずれか一項に記載のグリップ。
【請求項３０】
前記本体が前記グリップ部分の穴内に配置された第１部分と、第１端部で前記グリップ部分の端面と当接し、かつ前記第１端部から離れるようなテーパである第２部分と、を含む、請求項２２ないし２９のいずれか一項に記載のグリップ。
【請求項３１】
前記グリップ部分の前記穴が第１直径部分と、前記第１直径部分より大きい第２直径部分と、を有し、前記フロント部分の前記本体の第１部分が前記グリップ部分の前記第２直径部分内に配置される、請求項３０に記載のグリップ。
【請求項３２】
前記グリップ部分が前記フロント部分の前記本体の前記第１部分によって当接された、前記第１直径部分と前記第２直径部分との間の内部ショルダを含む、請求項３１に記載のグリップ。
【請求項３３】
前記フロント部分がそこを通り長手方向に延びる１以上のスロットを含み、１以上の錘が前記１以上のスロットのそれぞれ内に配置される、請求項２２または２３に記載のグリップ。
【請求項３４】
前記フロント部分は、共に連結され、前記フロント部分を形成する第１部分および第２部分を含み、前記第１部分および前記第２部分は、前記グリップ部分の穴内に配置された部分と、第１端部で前記グリップ部分の端面と当接し、かつ前記第１端部から離れるようなテーパである別の部分と、を各々有する、請求項２２または２３に記載のグリップ。
【請求項３５】
前記フロント部分が前記グリップ部分の穴内に配置された第１部分と、第１端部で前記グリップ部分の端面と当接し、前記第１端部から離れるようなテーパである第２部分と、を含み、前記第２部分が１以上の錘を受容するよう各々構成された複数の開口を有する、請求項２２または２３に記載のグリップ。
【請求項３６】
前記フロント部分が前記グリップ部分の穴内に配置された第１部分と、第１端部で前記グリップ部分の端面と当接し、前記第１端部から離れるようなテーパである第２部分と、を含み、前記第２部分が互いに接続する錘の対を受容するよう構成された開口を含む、請求項２２または２３に記載のグリップ。
【請求項３７】
前記フロント部分が、前記グリップ部分の穴内に配置されたスリーブと、共に連結され、かつ前記スリーブと、前記グリップ部分の第１端部から離れるようなテーパであるテーパ部分とによって取り囲まれたグリップ部分を各々有する第１部分および第２部分と、グリップ部分の外側表面における溝内で、前記スリーブの内側表面における溝内に受容されるリングと、を含む、請求項２２または２３に記載のグリップ。
【請求項３８】
ゴルフクラブ用グリップであって、
第１端部および第２端部と穴とを有するグリップ部分であって、前記穴が前記ゴルフクラブのシャフトを受容する前記グリップ部分を通り長手方向に延びる、グリップ部分と、
前記グリップ部分の前記第１端部にあるフロント部分であって、前記ゴルフクラブに取り付けられたとき、前記グリップ部分と前記ゴルフクラブのヘッドとの間にあり、前記フロント部分を通り長手方向に延びる穴を有し、かつ前記グリップ部分の前記穴と連通している前記フロント部分と、
前記グリップの合計重量が第１重量であり、前記フロント部分が前記第１重量の３０％以上である第２重量である、グリップ。
【請求項３９】
前記第２重量が前記第１重量の５０％以上である、請求項３８に記載のグリップ。
【請求項４０】
前記フロント部分が前記穴と、第１端部で前記穴内に配置されたスペーサと、を画定する本体を含み、前記スペーサが前記シャフトの外側表面と当接するよう構成されている、請求項３８または３９に記載のグリップ。
【請求項４１】
ゴルフクラブ用グリップであって、
使用中に握るためのゴルファーの手のため領域を画定するグリップ部分と、
前記グリップ部分と前記ゴルフクラブのヘッドとの間の前記グリップに連結されるよう構成されたフロント部分と、を含み、
前記グリップの合計重量が第１重量であり、前記フロント部分が前記第１重量の３０％以上である第２重量であり、それによって前記ゴルファーの前記手の下の前記グリップに重み付けする、グリップ。
【請求項４２】
前記第２重量が前記第１重量の５０％以上である、請求項４１に記載のグリップ。
【請求項４３】
前記第２重量が７５グラムと１２０グラムの間である、請求項４１または４２に記載のグリップ。
【請求項４４】
請求項１ないし４３のいずれか一項に記載ゴルフクラブのグリップをゴルフクラブのシャフトに取り付ける方法であって、
前記ゴルフクラブの前記シャフトを前記グリップ部分の前記穴と、前記フロント部分の前記穴を通り進めることと、
前記グリップ部分を前記シャフトに取り付けることと、を含む方法。
【請求項４５】
前記シャフトが前記グリップ部分の前記穴を通り進められる前または後で、前記フロント部分を前記グリップ部分に取り付けることをさらに含む、請求項４４に記載の方法。
【請求項４６】
ゴルフクラブ上に重み付けしたフロント部分を取り付ける方法であって、前記ゴルフクラブが前記クラブのシャフト上に取り付けられたゴルフクラブのグリップを有し、前記グリップが第１重量を有し、前記フロント部分が前記第１重量以上の第２重量を有し、
前記フロント部分を、前記グリップと前記ゴルフクラブのヘッドとの間の前記グリップに取り付けること、を含む方法。
【請求項４７】
パタースイングにおける方向および加速の不一致を軽減する方法であって、
下側三分の一と、上側三分の一と、前記下側三分の一と前記上側三分の一との間の中央三分の一とにパターグリップを三等分することであって、前記上側三分の一がパターの手元端部を形成し、前記下側三分の一が前記パターのヘッドと前記中央および上側三分の一との間にある、三等分することと、
金属製錘を前記パターグリップの前記下側三分の一に組み入れることであって、前記グリップの前記下側三分の一の重量が前記グリップ前記中央および上側三分の一の総合重量の８０％以上である、組み入れることと、を含む方法。
【発明の詳細な説明】
【技術分野】
【０００１】
［関連出願］
本願は、２０１６年１１月２８日に出願された米国仮特許出願第６２／４２６，７３１号、２０１７年４月４日に出願された米国仮特許出願第６２／４８１，４４７号、２０１７年４月７日に出願された米国仮特許出願第６２／４８３，０７３号、２０１７年５月５日に出願された米国仮特許出願第６２／５０２，２５２号、２０１７年５月８日に出願された米国仮特許出願第６２／５０３，１６８号、２０１７年７月２０日に出願された米国仮特許出願第６２／５３５，０９５号の利点を請求し、参照によって本願明細書に組み込まれるものとする。
【０００２】
［技術分野］
本発明は、一般にグリップに関連し、および、特に、パター用の重み付けしたゴルフクラブのグリップに関連する。
【背景技術】
【０００３】
ゴルフクラブのグリップ、および、特に、パターのグリップは、種々の形状および寸法で提供され得る。パターのグリップは、ゴルフクラブのシャフト上に取り付けられ、および任意の適切な方法で固定される。ゴルファーは、伝統、クロスハンド、ソー、およびクローのような、パターのグリップ上のゴルファーの手の位置決めのときに、種々のグリップ配置を使用し得る。
【発明の概要】
【０００４】
本願は、ゴルフクラブのシャフトを受容するための穴をそれぞれ有する、グリップ部分、およびグリップ部分に隣接したフロント部分を有するゴルフクラブのグリップを提供する。フロント部分は、ゴルファーの手の下の錘で重み付けしたゴルフのグリップを提供するように重み付けされ、ゴルフクラブのヘッドの重量を効果的に増加させる。ゴルフクラブのグリップは合計重量を有し、およびグリップのフロント部分は、合計重量の３０％以上の重量を有する。
【０００５】
実施形態において、ゴルフクラブ用のグリップは、第１および第２端部、および第１端部でゴルフクラブのシャフトを受容するグリップ部分を通り長手方向に延びる穴を有するグリップ部分と、グリップ部分の第２端部に隣接するバック部分と、第１端部でグリップ部分に隣接するフロント部分であって、ゴルフクラブのシャフトが穴を通り、かつグリップ部分の穴内に延びるよう構成されるように、第１および第２端部、およびフロント部分を通り長手方向に延在する穴を有するフロント部分と、を含み、グリップの合計重量が第１重量であり、およびフロント部分が第１重量の３０％以上である第２重量であるよう提供される。
【０００６】
さらに別の実施形態において、ゴルフクラブ用のグリップは、使用中に握るためのゴルファーの手の領域を画定するグリップ部分と、グリップ部分とゴルフクラブのヘッドとの間のフロント部分と、を含み、グリップ部分、およびフロント部分がグリップの長さを画定し、長さが、下側三分の一、上側三分の一、および下側三分の一と上側三分の一との間の中央三分の一を含み、下側三分の一が、ゴルフクラブのヘッドと中央三分の一および上側三分の一との間であり、グリップの下側三分の一の重量がグリップの中央および上側三分の一の総合重量超であるよう提供される。
【０００７】
別の実施形態において、ゴルフクラブ用のグリップは、第１および第２端部と、ゴルフクラブのシャフトを受容するグリップ部分を通り長手方向に延在する穴と、を有するグリップ部分と、ゴルフクラブに取り付けられたときに、フロント部分がグリップ部分とゴルフクラブのヘッドとの間にあるように、グリップ部分の第１端部にあるフロント部分であって、フロント部分を通り長手方向に延在し、かつグリップ部分の穴と連通する穴を有するフロント部分と、を含み、グリップの合計重量が第１重量であり、フロント部分が第１重量の３０％以上の第２重量であるよう提供される。
【０００８】
さらに別の実施形態において、ゴルフクラブ用のグリップは、使用中に握るためのゴルファーの手の領域を画定するグリップ部分と、グリップ部分とゴルフクラブのヘッドとの間のグリップ部分に連結されるように構成されたフロント部分と、を含み、グリップ部分の合計重量が第１重量であり、フロント部分が第１重量の３０％以上の第２重量であり、それによって、ゴルファーの手の下のグリップを重み付けするよう提供される。
【０００９】
さらに別の実施形態において、クラブのシャフト上に取り付けられたゴルフクラブのグリップを有するゴルフクラブ上に重み付けしたフロント部分を取り付ける方法が提供され、グリップが第１重量を有し、フロント部分が第１重量以上である第２重量を有する。方法は、グリップとゴルフクラブのヘッドとの間のグリップにフロント部分を取り付けることを含む。
【００１０】
さらなる実施形態において、パタースイングにおいて、方向および加速の不一致を軽減する方法が提供される。方法は、パターグリップを下側三分の一、上側三分の一、および下側三分の一と上側三分の一との間の中央三分の一に三等分することであって、上側三分の一がパターの手元端部を形成し、および下側三分の一がパターヘッドと中央および上側三分の一との間にある、三等分することと、パターグリップの下側三分の一の重量が中央と上側三分の一の総合重量超であるように金属錘をパターグリップの下側三分の一内に組み入れることと、を含む。
【００１１】
本願の前述および他の特徴は、図面を参照して以下に記載される。
【図面の簡単な説明】
【００１２】
【図１】図１は代表的なゴルフクラブのグリップの斜視図である。
【図２】図２はグリップの背面図である。
【図３】図３は図２の３−３線に関して取られたグリップの断面図である。
【図４】図４はグリップの右側面図である。
【図５】図５はグリップの左側面図である。
【図６】図６はグリップの下面図である。
【図７】図７はグリップの上面図である。
【図８】図８はグリップ部分およびグリップのバック部分の背面図である。
【図９】図９は図８の線９−９に関して取られた断面図である。
【図１０】図１０はグリップ、およびグリップのフロント部分から分離されたグリップのバック部分の斜視図である。
【図１１】図１１はゴルフクラブに取り付けられたグリップを有するゴルフクラブの前面図である。
【図１２】図１２はゴルフクラブの上面図である。
【図１３】図１３は図１２の線１３−１３に関して取られた断面図である。
【図１４】図１４はフロント部分の上面図である。
【図１５】図１５は上部分の右側面図である。
【図１６】図１６は図１５の線１６−１６に関して取られた断面図である。
【図１７】図１７は図１５の線１７−１７に関して取られた断面図である。
【図１８】図１８は別のフロント部分の上面図である。
【図１９】図１９は上部分の右側面図である。
【図２０】図２０は図１９の線２０−２０に関して取られた断面図である。
【図２１】図２１は図１９の線２１−２１に関して取られた断面図である。
【図２２】図２２はさらに別のフロント部分の上面図である。
【図２３】図２３は上部分の右側面図である。
【図２４】図２４は図２３の線２４−２４に関して取られた断面図である。
【図２５】図２５は図２３の線２５−２５に関して取られた断面図である。
【図２６】図２６はさらに別のフロント部分の上面図である。
【図２７】図２７は上部分の右側面図である。
【図２８】図２８は図２７の線２８−２８に関して取られた断面図である。
【図２９】図２９は図２７の線２９−２９に関して取られた断面図である。
【図３０】図３０は図２６のフロント部分を含むゴルフクラブのグリップの斜視図である。
【図３１】図３１は別の代表的なゴルフクラブのグリップの背面図である。
【図３２】図３２はグリップの上面図である。
【図３３】図３３は図３２の線３３−３３に関して取られた断面図である。
【図３４】図３４はさらに別の代表的なゴルフクラブのグリップの前面図である。
【図３５】図３５はグリップの上面図である。
【図３６】図３６は図３５の線３６−３６に関して取られた断面図である。
【図３７】図３７はグリップの右側面図である。
【図３８】図３８はさらに別の代表的なゴルフクラブのグリップの背面図である。
【図３９】図３９はグリップの上面図である。
【図４０】図４０は図３９の線４０−４０に関して取られた断面図である。
【図４１】図４１はグリップの右側面図である。
【図４２】図４２はさらなる代表的なゴルフクラブのグリップの斜視図である。
【図４３】図４３はグリップの左側面図である。
【図４４】図４４はグリップの右側面図である。
【図４５】図４５はグリップの上面図である。
【図４６】図４６は別の代表的なゴルフクラブのグリップの上面図である。
【図４７】図４７はグリップの背面図である。
【図４８】図４８は錘が除去されたグリップの別の背面図である。
【図４９】図４９はさらに別の代表的なゴルフクラブのグリップの背面図である。
【図５０】図５０はグリップの上面図である。
【図５１】図５１は図５０の線５１−５１に関して取られた断面図である。
【図５２】図５２はグリップの分解図である。
【図５３】図５３はグリップの右側面図である。
【図５４】図５４は別の代表的なフロント部分の斜視図である。
【図５５】図５５はグリップの上面図である。
【図５６】図５６は図５５の線５６−５６に関して取られた断面図である。
【図５７】図５７はグリップの背面図である。
【図５８】図５８は錘の斜視図である。
【図５９】図５９は錘の前面図である。
【図６０】図６０−６５は平面を備える実質的に円形断面を備える別の重み付けしたゴルフクラブのグリップを示す。
【図６１】図６０−６５は平面を備える実質的に円形断面を備える別の重み付けしたゴルフクラブのグリップを示す。
【図６２】図６０−６５は平面を備える実質的に円形断面を備える別の重み付けしたゴルフクラブのグリップを示す。
【図６３】図６０−６５は平面を備える実質的に円形断面を備える別の重み付けしたゴルフクラブのグリップを示す。
【図６４】図６０−６５は平面を備える実質的に円形断面を備える別の重み付けしたゴルフクラブのグリップを示す。
【図６５】図６０−６５は平面を備える実質的に円形断面を備える別の重み付けしたゴルフクラブのグリップを示す。
【図６６】図６６−７１は平面およびテーパフロント部分を備える実質的に円形断面を備えるさらに別の重み付けしたゴルフクラブのグリップを示す。
【図６７】図６６−７１は平面およびテーパフロント部分を備える実質的に円形断面を備えるさらに別の重み付けしたゴルフクラブのグリップを示す。
【図６８】図６６−７１は平面およびテーパフロント部分を備える実質的に円形断面を備えるさらに別の重み付けしたゴルフクラブのグリップを示す。
【図６９】図６６−７１は平面およびテーパフロント部分を備える実質的に円形断面を備えるさらに別の重み付けしたゴルフクラブのグリップを示す。
【図７０】図６６−７１は平面およびテーパフロント部分を備える実質的に円形断面を備えるさらに別の重み付けしたゴルフクラブのグリップを示す。
【図７１】図６６−７１は平面およびテーパフロント部分を備える実質的に円形断面を備えるさらに別の重み付けしたゴルフクラブのグリップを示す。
【図７２】図７２−７８は不規則な五角形を備えるさらに別の重み付けしたゴルフクラブのグリップを示す。
【図７３】図７２−７８は不規則な五角形を備えるさらに別の重み付けしたゴルフクラブのグリップを示す。
【図７４】図７２−７８は不規則な五角形を備えるさらに別の重み付けしたゴルフクラブのグリップを示す。
【図７５】図７２−７８は不規則な五角形を備えるさらに別の重み付けしたゴルフクラブのグリップを示す。
【図７６】図７２−７８は不規則な五角形を備えるさらに別の重み付けしたゴルフクラブのグリップを示す。
【図７７】図７２−７８は不規則な五角形を備えるさらに別の重み付けしたゴルフクラブのグリップを示す。
【図７８】図７２−７８は不規則な五角形を備えるさらに別の重み付けしたゴルフクラブのグリップを示す。
【図７９】図７９−８５は不規則な五角形およびテーパフロント部分を備えるさらなる重み付けしたゴルフクラブのグリップを示す。
【図８０】図７９−８５は不規則な五角形およびテーパフロント部分を備えるさらなる重み付けしたゴルフクラブのグリップを示す。
【図８１】図７９−８５は不規則な五角形およびテーパフロント部分を備えるさらなる重み付けしたゴルフクラブのグリップを示す。
【図８２】図７９−８５は不規則な五角形およびテーパフロント部分を備えるさらなる重み付けしたゴルフクラブのグリップを示す。
【図８３】図７９−８５は不規則な五角形およびテーパフロント部分を備えるさらなる重み付けしたゴルフクラブのグリップを示す。
【図８４】図７９−８５は不規則な五角形およびテーパフロント部分を備えるさらなる重み付けしたゴルフクラブのグリップを示す。
【図８５】図７９−８５は不規則な五角形およびテーパフロント部分を備えるさらなる重み付けしたゴルフクラブのグリップを示す。
【図８６】図８６−８９は円形断面を備える別の重み付けしたゴルフクラブのグリップを示す。
【図８７】図８６−８９は円形断面を備える別の重み付けしたゴルフクラブのグリップを示す。
【図８８】図８６−８９は円形断面を備える別の重み付けしたゴルフクラブのグリップを示す。
【図８９】図８６−８９は円形断面を備える別の重み付けしたゴルフクラブのグリップを示す。
【図９０】図９０−９３は円形断面およびテーパフロント部分を備えるさらに別の重み付けしたゴルフクラブのグリップを示す。
【図９１】図９０−９３は円形断面およびテーパフロント部分を備えるさらに別の重み付けしたゴルフクラブのグリップを示す。
【図９２】図９０−９３は円形断面およびテーパフロント部分を備えるさらに別の重み付けしたゴルフクラブのグリップを示す。
【図９３】図９０−９３は円形断面およびテーパフロント部分を備えるさらに別の重み付けしたゴルフクラブのグリップを示す。
【図９４】図９４−９７は四角断面を備えるさらに別の重み付けしたゴルフクラブのグリップを示す。
【図９５】図９４−９７は四角断面を備えるさらに別の重み付けしたゴルフクラブのグリップを示す。
【図９６】図９４−９７は四角断面を備えるさらに別の重み付けしたゴルフクラブのグリップを示す。
【図９７】図９４−９７は四角断面を備えるさらに別の重み付けしたゴルフクラブのグリップを示す。
【図９８】図９８−１０１は四角断面およびテーパフロント部分を備えるさらなる重み付けしたゴルフクラブのグリップを示す。
【図９９】図９８−１０１は四角断面およびテーパフロント部分を備えるさらなる重み付けしたゴルフクラブのグリップを示す。
【図１００】図９８−１０１は四角断面およびテーパフロント部分を備えるさらなる重み付けしたゴルフクラブのグリップを示す。
【図１０１】図９８−１０１は四角断面およびテーパフロント部分を備えるさらなる重み付けしたゴルフクラブのグリップを示す。
【図１０２】図１０２−１０８はティアドロップ断面を備えるさらなる重み付けしたゴルフクラブのグリップを示す。
【図１０３】図１０２−１０８はティアドロップ断面を備えるさらなる重み付けしたゴルフクラブのグリップを示す。
【図１０４】図１０２−１０８はティアドロップ断面を備えるさらなる重み付けしたゴルフクラブのグリップを示す。
【図１０５】図１０２−１０８はティアドロップ断面を備えるさらなる重み付けしたゴルフクラブのグリップを示す。
【図１０６】図１０２−１０８はティアドロップ断面を備えるさらなる重み付けしたゴルフクラブのグリップを示す。
【図１０７】図１０２−１０８はティアドロップ断面を備えるさらなる重み付けしたゴルフクラブのグリップを示す。
【図１０８】図１０２−１０８はティアドロップ断面を備えるさらなる重み付けしたゴルフクラブのグリップを示す。
【図１０９】図１０９−１１５はティアドロップ断面およびテーパフロント部分を備えるさらなる重み付けしたゴルフクラブのグリップを示す。
【図１１０】図１０９−１１５はティアドロップ断面およびテーパフロント部分を備えるさらなる重み付けしたゴルフクラブのグリップを示す。
【図１１１】図１０９−１１５はティアドロップ断面およびテーパフロント部分を備えるさらなる重み付けしたゴルフクラブのグリップを示す。
【図１１２】図１０９−１１５はティアドロップ断面およびテーパフロント部分を備えるさらなる重み付けしたゴルフクラブのグリップを示す。
【図１１３】図１０９−１１５はティアドロップ断面およびテーパフロント部分を備えるさらなる重み付けしたゴルフクラブのグリップを示す。
【図１１４】図１０９−１１５はティアドロップ断面およびテーパフロント部分を備えるさらなる重み付けしたゴルフクラブのグリップを示す。
【図１１５】図１０９−１１５はティアドロップ断面およびテーパフロント部分を備えるさらなる重み付けしたゴルフクラブのグリップを示す。
【図１１６】図１１６は別の代表的なフロント部分の斜視図である。
【図１１７】図１１７はフロント部分の上面図である。
【図１１８】図１１８は図１１６のフロント部分の下面図である。
【図１１９】図１１９はさらに別の代表的なグリップおよびフロント部分の上面図である。
【図１２０】図１２０は図１１９の線１２０−１２０に関して取られた断面図である。
【図１２１】図１２１は開放配置におけるさらに別の代表的なフロント部分の斜視図である。
【図１２２】図１２２は閉鎖配置における図１２１のフロント部分の斜視図である。
【図１２３】図１２３はさらなる代表的なフロント部分およびグリップの斜視図である。
【図１２４】図１２４はフロント部分およびグリップの上面図である。
【図１２５】図１２５は図１２４の線１２５−１２５に関して取られた断面図である。
【図１２６】図１２６はさらなる代表的なフロント部分およびグリップの上面図である。
【図１２７】図１２７はフロント部分およびグリップの背面図である。
【図１２８】図１２８は図１２６の線１２８−１２８に関して取られた断面図である。
【図１２９】図１２９はさらに別の代表的なフロント部分の斜視図である。
【図１３０】図１３０はさらに別の代表的なフロント部分の斜視図である。
【図１３１】図１３１はさらに別の代表的なゴルフクラブのグリップの斜視図である。
【図１３２】図１３２はグリップの右側面図である。
【図１３３】図１３３はグリップの左側面図である。
【図１３４】図１３４はグリップの背面図である。
【図１３５】図１３５は図１３４の線１３５−１３５に関して取られた断面図である。
【図１３６】図１３６はさらに別の代表的なゴルフクラブのグリップの斜視図である。
【図１３７】図１３７は図１３６の線１３７−１３７に関して取られた断面図である。
【図１３８】図１３８はグリップの右側面図である。
【図１３９】図１３９はグリップの左側面図である。
【図１４０】図１４０はグリップの背面図である。
【図１４１】図１４１はグリップの上面図である。
【図１４２】図１４２は図１４１の線１４２−１４２に関して取られた断面図である。
【図１４３】図１４３はさらなる代表的なゴルフクラブのグリップの斜視図である。
【図１４４】図１４４はグリップの右側面図である。
【図１４５】図１４５はグリップの左側面図である。
【図１４６】図１４６はグリップの背面図である。
【図１４７】図１４７はグリップの上面図である。
【図１４８】図１４８はグリップの下面図である。
【図１４９】図１４９はグリップの前面図である。
【図１５０】図１５０は図１４９の線１５０−１５０に関して取られた断面図である。
【図１５１】図１５１は別の代表的なゴルフクラブのグリップの斜視図である。
【図１５２】図１５２はグリップの右側面図である。
【図１５３】図１５３はグリップの左側面図である。
【図１５４】図１５４はグリップの上面図である。
【図１５５】図１５５はグリップの背面図である。
【図１５６】図１５６はグリップの下面図である。
【図１５７】図１５７は図１５６の線１５７−１５７に関して取られた断面図である。
【図１５８】図１５８はさらに別の代表的なゴルフクラブのグリップの斜視図である。
【図１５９】図１５９はグリップの断面図である。
【図１６０】図１６０はグリップの右側面図である。
【図１６１】図１６１はグリップの左側面図である。
【図１６２】図１６２はグリップの上面図である。
【図１６３】図１６３はグリップの背面図である。
【図１６４】図１６４は図１６３の線１６４−１６４に関して取られた断面図である。
【図１６５】図１６５は図１６４の１６５の詳細の拡大図である。
【図１６６】図１６６はさらに別の代表的なゴルフクラブのグリップの斜視図である。
【図１６７】図１６７はグリップの断面図である。
【図１６８】図１６８はグリップの右側面図である。
【図１６９】図１６９はグリップの左側面図である。
【図１７０】図１７０はグリップの上面図である。
【図１７１】図１７１はグリップの前面図である。
【図１７２】図１７２はグリップの前面図である。
【図１７３】図１７３は図１７２の線１７３−１６７３に関して取られた断面図である。
【図１７４】図１７４は図１７３の１７４の詳細の拡大図である。
【図１７５】図１７５はさらなる代表的なゴルフクラブのグリップの斜視図である。
【図１７６】図１７６は図１７５の線１７６−１７６に関して取られた断面図である。
【図１７７】図１７７はグリップの右側面図である。
【図１７８】図１７８はグリップの左側面図である。
【図１７９】図１７９はグリップの上面図である。
【図１８０】図１８０はグリップの背面図である。
【図１８１】図１８１は図１８０の線１８１−１８１に関して取られた断面図である。
【図１８２】図１８２は図１７９の線１８２−１８２に関して取られた断面図である。
【図１８３】図１８３は図１８２の１８３の詳細の拡大図である。
【図１８４】図１８４は別の代表的なゴルフクラブのグリップの斜視図である。
【図１８５】図１８５は図１８４の線１８５−１８５に関して取られた断面図である。
【図１８６】図１８６はグリップの右側面図である。
【図１８７】図１８７はグリップの左側面図である。
【図１８８】図１８８はグリップの上面図である。
【図１８９】図１８９はグリップの背面図である。
【図１９０】図１９０はさらに別の代表的なゴルフクラブのグリップの斜視図である。
【図１９１】図１９１はグリップの右側面図である。
【図１９２】図１９２はグリップの左側面図である。
【図１９３】図１９３はグリップの上面図である。
【図１９４】図１９４はグリップの背面図である。
【図１９５】図１９５は図１９４の線１９５−１９５に関して取られた断面図である。
【図１９６】図１９６は代表的なグリップの上面図である。
【図１９７】図１９７は別の代表的なグリップの上面図である。
【図１９８】図１９８はさらに別の代表的なグリップの斜視図である。
【図１９９】図１９９はグリップの上面図である。
【図２００】図２００は図１９９の線２００−２００に関して取られた断面図である。
【図２０１】図２０１はグリップの背面図である。
【図２０２】図２０２は図２０１の線２０２−２０２に関して取られた断面図である。
【図２０３】図２０３はグリップの左側面図である。
【図２０４】図２０４はグリップの右側面図である。
【図２０５】図２０５はさらに別の代表的なグリップの斜視図である。
【図２０６】図２０６はグリップの前面図である。
【図２０７】図２０７はグリップの上面図である。
【図２０８】図２０８はグリップの下面図である。
【図２０９】図２０９はグリップの右側面図である。
【図２１０】図２１０はグリップの左側面図である。
【図２１１】図２１１はさらに別の代表的なグリップの斜視図である。
【図２１２】図２１２はグリップの背面図である。
【図２１３】図２１３はグリップの下面図である。
【図２１４】図２１４は図２１２の線２１４−２１４に関して取られた断面図である。
【発明を実施するための形態】
【００１３】
本願の仕組みは、パターのようなゴルフクラブ用のグリップに関連し、そのため、この文脈において以下に記載されることになる。本願の仕組みは、野球、テニス等のような他の活動用のグリップに適用可能であり得ることは理解されることになるだろう。
【００１４】
ここで図１−１７を見ると、ゴルフクラブのグリップが、参照番号１０で概して示されている。グリップは、本体１２、および本体の一部分を取り囲むラップ１４を含んでいる。代替的に、グリップ１０が１つの部品として形成され得ることは理解されることになる。本体１２は、握るためのゴルファーに領域を提供するグリップ部分１６と、フロント部分１８と、バック部分２０と、を含んでいる。グリップ部分１６、およびバック部分２０は、金型内に射出されたＥＶＡフォームのような任意の適切な材料で形成され得、およびフロント部分１８は、グリップ部分１６に取り付ける別の部品として形成される。代替的に、グリップ部分１６、バック部分２０、およびフロント部分１８は、例えば、金型内で１つの部品として、または一緒に成型された別の部品として形成され得る。代替的に、グリップ部分１６、フロント部分１８、およびバック部分２０は、別の部品として形成され得る。
【００１５】
図３−７に示されるように、グリップ部分１６は、第１および第２の端部３０および３２、および、長手方向に延びる湾曲側面３８および４０の対にそれぞれ接合されている長手方向に延びる平行で平らな側面３４および３６の対を有している。端部視から見たときのグリップ部分１６は、実質的にオブラウンドまたはダブルＤ形状であり、そのため、グリップ部分は、各端部上に等しい長さの２つの平行線、および、２つの円弧を有しており、
弦が全直径または全直径未満のいずれかである。
【００１６】
テーパ部分１８として示され、かつ、以降、テーパ部分１８と呼ばれ、および実質的に円錐形状で示されるが、その長さに沿って一定直径を有する形状のような任意の適切な形状を有し得る、フロント１８は、グリップ部分１６の第１端部３０に隣接し、および第１および第２端部６０および６２を含む。テーパ部分１８は、第１端部３０から第１端部６０にグリップ部分１６から離れる方向にテーパする。バック部分２０は、グリップ部分１６の第２端部３２に隣接し、および第１および第２端部６６および６８を含んでいる。テーパ部分１８およびバック部分２０の端部視は、また、実質的にオブラウンドまたはダブルＤ形状である。
【００１７】
テーパ部分１８は、グリップ部分１６の第１端部に当接するショルダ７０を有し、および、その外が表面において、グリップ部分１６の断面積より大きい断面積を有する。同様に、その第１端部６６において、バック部分２０は、グリップ部分１６の断面積より大きい断面積を有する。このように、ラップ１４が本体１２に取り付けられ、グリップ部分１６を取り囲むとき、ラップ１４の外側表面は、テーパ部分１８の第２端部６２およびバック部分２０の第１端部６６と実質的に同一平面になる。ラップは、ステッチングのような任意の適切な方法でグリップ部分１６の周りに固定され得、または、１つの部品であり得、および本体１２上に滑り込まされる。
【００１８】
図９に示されるように、グリップ部分１６、およびバック部分２０は、穴８０または部分内で、かつ部分の長さに延びる軸方向通路を含んでいる。穴は、グリップ部分１６の第１端部３０で開口８４に通じる第１端部８２、および閉じている第２端部８６を有する。例えば、穴８０は、図９に示されるように、バック部分２０の第２端部６８で開口８８に通じており、および図３に示されるように、プラグ９０によって閉じられており、および詳細は以下で述べられる。
【００１９】
穴８０は、第１穴１００、または、ゴルフクラブ５０のシャフト５２を受容するためのグリップ部分１６およびテーパ部分１８の一部を通り長手方向に延びる軸方向通路、および、第２穴１０２、または、第１穴１００の直径未満の直径を有する、第１穴１００と連通し、かつグリップ部分１６およびバック部分２０の一部を通り長手方向に延びる軸方向通路を含んでいる。以下に述べられるように、第１穴１００は、シャフト５２の直径と実質的に等しい第１直径部分１０４、および、テーパ部分１８の一部を受容する第１直径部分１０４より大きい第２直径部分１０６を含む。第１穴１００は、テーパ部分の一部によって当接される、第１および第２直径部分１０４および１０６の間にショルダを有し、および、図示されるように、第１穴１００は、第２直径部分１０６と第１直径部分１０４の間に面取り部を有する。第２穴１０２は、グリップ部分１６内にグリップ穴部分１１０、およびバック部分２０内に端部穴部分１１２を含む。
【００２０】
ショルダ１１８は、第１穴１００の端部を画定し、およびゴルフクラブ５０のシャフト５２の端部のためストップとして働く、グリップ部分１６の第２端部３２の近傍に第１穴１００の第１直径部分１０４内に提供される。図１０に示されるように、対向する半径方向内方に延びる凸部１２０の対が、テーパ部分１８内の各スロット１７４と係合する第２直径部分１０６内に提供され、テーパ部分と整列させる。座グリ１２２は、第２穴１０２、および、特に第２穴１０２の端穴部分１１２と連通している第２端部６８でバック部分２０内に提供される。座グリ１２２、および端穴部分１１２は、第２穴１０２を閉じるプラグ９０を受容し、バック部分２０を逃れる流体を抑制する。プラグ９０は座グリ１２２の幾何学形状と一致する幾何学形状を有し、座グリを閉じる。図示されるように、座グリ１２２は、実質的にオブラウンドまたはダブルＤ形状である。代替的に、第２穴１０２は、第２端部６８、および取り除かれた座グリの外に延び得、またはグリップは、第２端部６８、および取り除かれたプラグ９０で閉じられ得る。
【００２１】
パター５０のシャフト５２が穴８０中に進められるとき、流体がバック部分２０で漏れ出ることを可能とするために、バック部分２０は、端穴部分１１２と連通しているベント通路１２６を含む。ベント通路１２６は、開口１３０に通じ、および、バック部分２０の側壁１２８（図２）を通り端穴部分１１２内に延びており、および、図示されるように、ベント通路１２６は、端穴部分１１２に対して実質的に垂直である。穴１０２と同軸のグリップの端部６８を通るよりむしろ、グリップ１０の側壁１２８内にベント通路１２６を提供することによって、プラグ９０は、印のための途切れない領域を提供し得、開口１３０は、クラブの端部にあるときより指で覆いやすくなり、および開口１３０を通るスプレーは、取り付け者に向けられない。
【００２２】
図１１−１３をさらに参照すると、グリップ１０をパター５０上に取り付けるため、両面テープがシャフト５２の端部に接着され、それから溶媒が、テープに塗布され、かつテーパ部分１８内の開口１５６内に注入される。開口１５６および１３０は、それから覆われ、およびグリップ１０は、溶媒で穴をコートするように振り動かされる。シャフト５２は、それから、シャフト５２の端部がショルダ１１８に当接するまで、テーパ部分１８の穴１５２および第１穴１００を通り長手方向に開口１５６を通り進められる。シャフト５２が進められるとき、過剰の溶媒および空気は、第１および第２穴１００および１０２を通り抜け、およびベント通路１２６の開口１３０を介してグリップ１０から出る。グリップ１０は、また、例えば、テーパ部分１８上の整列デバイス６４を使用して、パター５０上に整列させられる。グリップは、平らな側面３４および３６が、例えば、標準グリップを使用するゴルファーのため、ゴルフクラブのフェースに平行であり、または、平らな側面３４および３６が、例えば、代替のグリップスタイルを使用するゴルファーのため、ゴルフクラブのフェースに垂直であり得るように取り付けられ得る。
【００２３】
例えば、以下で詳細に述べられるように、グリップは重み付けされ得、方向および加速の不一致を最小にするような、パタースイングにおける不一致を軽減する。グリップは、下側三分の一、中央三分の一、および上側三分の一に三等分され得、上側三分の一は、パターの手元端部を形成し、および下側三分の一は、パターのヘッドと、中央および上側三分の一との間にある。金属錘のような錘は、パターグリップの下側三分の一の重量が中央と上側三分の一の総合重量の８０％以上であるように、下側三分の一内に持ち込まれる。別の実施形態において、下側三分の一の重量は、総合重量以上である。パターグリップは、一体フロント部分、またはグリップ部分に取り付けられたフロント部分を備えるグリップを含む。
【００２４】
図１−３に加えて、ここで図１３−１７を参照すると、テーパ部分１８が詳細に述べられることになる。テーパ部分１８は、ゴルファーの手の下に錘を備える重み付けしたゴルフクラブを提供するように重み付けされ、ゴルフクラブのヘッドの重量を効果的に増加させ、それによって、ゴルフクラブに重い感じを与え、ゴルファーのストロークを滑らかにし、およびパフォーマンスを改善する。重量が非常に軽いと、上記利点は実現されないことになり、および重量が非常に重いと、クラブが非常に大きい慣性を有し、およびゴルファーはクラブの制御できなくなる。グリップ１０は、合計重量を有し、およびテーパ部分１８は、グリップ１０の合計重量の３０％以上である重量を有し、および、一実施形態において、グリップ１０の合計重量の５０％以上である重量を有する。別の実施形態において、テーパ部分１８は、合計重量の５０から６０％の間である。実施形態において、テーパ部分の重量は、７５グラム以上である。別の実施形態において、テーパ部分の重量は、１００グラム以上である。別の実施形態において、テーパ部分の重量は、１１０グラム以上である。
【００２５】
テーパ部分１８は、穴１５２、または、テーパ部分１８の長さに延びる軸方向通路、および穴１５２内に配置されたスペーサ１５４を画定する本体１５０を含む。テーパ部分の重み付けは、本体１５０の材料によって提供され、適切な金属のような任意の適切な材料であり得る。図１３に示すように、スペーサ１５４は、シャフト５２の外側表面に当接するよう構成され、およびフォームのような圧縮可能材料で作製され得、シャフト５２をシールするようにシャフトに対してきちんと合っており、流体および／または破片が穴１５２に入ることを抑制する。スペーサ１５４は、任意の適切な方法、例えば、接着によって本体１５０に連結され得る。
【００２６】
穴１５２は、開口１５６にテーパ部分１８の第１端部６０で通じ、および第２端部６２で開口１５８に通じる。穴１５２は、第１直径部分１６０、および、スペーサ１５４が配置される第１直径部分１６０より大きい第２直径部分１６２を含む。穴１５２は、また、スペーサ１５４の端部によって当接された、第１および第２直径部分１６０および１６２の間にショルダ１６４を含み、および、図示されるように、穴１５２は、第２直径部分１６２から第１直径部分１６０に下がる面取り部を有する。
【００２７】
本体１５０は、グリップ部分１６の第２直径部分１０６内に配置された第１部分１７０、
および第１端部３０でグリップ部分１６の端部面と当接し、および第１端部から離れるようにテーパするショルダ７０を有する第１部分１７０と一体の第２部分１７２を含む。第１部分１７０は、穴１００内のショルダ１０８と当接するテーパ部分１６の第２端部６２に端部面、および第１端部６０の方に第２端部６２から長手方向に延びるスロット１７４の対を有し、および、図示される実施形態において、スロット１７４は、第２部分１７２内に延びる。スロット１７４は、各凸部１２０と係合、または各凸部１２０を受容し、テーパ部分１８をグリップ部分１６と整列させる。スロット１７４は、第１部分１７０を通り穴１５２の第１直径部分１６０内に延び得、およびグリップ１０の重量を変更するよう長さを調節され得る。追加的または代替的に、第２部分１７２は、グリップ１０の重量を調節するため１以上の切り抜き１７６を含み得る。第２部分１７２は、また、ロゴのような印のため１以上の側面上に領域１７８を含み得、およびその表面上にエッチングされたパターン１８０を含み得る。
【００２８】
グリップ１０を組み立てるため、本体１５０の第１部分１７０は、グリップ部分の第２直径部分１０６内に挿入され、スロット１７４で、凸部１２０と整列させられ、および挿入前に第１部分１７０に塗布された接着剤のような適切な方法で固定される。それから、ラップ１４が、本体１２上に取り付けられ得、グリップ部分１６を取り囲み、およびラップ１４の端部は、第１端部３０でグリップ部分１６の端部面と、第２部分１７２のショルダ７０内の周方向切欠き１８２との間に形成された空間内に挟み込まれ得る。
【００２９】
ここで図１８−２１を見ると、フロント部分の代表的な実施形態が２１８で示されている。フロント部分２１８は、上述のフロント部分１８と実質的に同一であり、および、結果として、２００でインデックスされているが同じ参照番号がフロント部分内の同様の構造に対応する構造を示すように使用される。さらに、フロント部分１８の先の記述は、下記に定める場合で、かつ図面において図示される場合を除き、フロント部分２１８に同様に適用可能である。
【００３０】
フロント部分２１８は、穴３５２、またはフロント部分２１８の長さに延びる軸方向通路、および穴３５２に配置されたスペーサ（図示されない）を画定する本体３５０を含む。本体３５０は、グリップ部分１６の第２直径部分１０６内に配置されるよう構成された第１部分３７０、および第１部分３７０と一体化された第２部分３７２を含む。第１部分３７０は、軸方向に延びるスロット３７４の対を有し、および、図示される実施形態において、スロット３７４は第２部分３７２内に延び、および第２部分３７２は１以上の切り抜き３７６を含む。スロット３７４は、スロット１７４の軸方向長さ未満の軸方向長さを有し、および切り抜き３７６は、切り抜き１７６の軸方向長さ未満の軸方向長さを有する。フロント部分２１８は、フロント部分１８より小さく、かつ軽く、およびフロント部分２１８で使用されるグリップ部分１６は、上記重量比率が実現されるように、相当するような寸法にされることになることを理解されるであろう。
【００３１】
ここで図２２−２５を見ると、フロント部分の代表的な実施形態が４１８で示されている。フロント部分４１８は、上述のフロント部分１８と実質的に同一であり、および、結果として、４００でインデックスされているが同じ参照番号がフロント部分内の同様の構造に対応する構造を示すように使用される。さらに、フロント部分１８の先の記述は、下記に定める場合で、かつ図面において図示される場合を除き、フロント部分４１８に同様に適用可能である。
【００３２】
フロント部分４１８は、穴５５２、または第１部分４１８の長さに延びる軸方向通路、および穴５５２に配置されたスペーサ（図示されない）を画定する本体５５０を含む。本体５５０は、グリップ部分１６の第２直径部分１０６内に配置されるよう構成された第１部分５７０、および第１部分５７０と一体化された第２部分５７２を含む。第１部分５７０は、長手方向に延びるスロット５７４の対を有し、および、切り抜きを含まない。スロット５７４は、スロット１７４の軸方向長さ未満の軸方向長さを有する。フロント部分４１８は、フロント部分１８および２１８より小さく、かつ軽く、およびフロント部分４１８で使用されるグリップ部分１６は、上記重量比率が実現されるように、相当するような寸法にされることになることを理解されるであろう。
【００３３】
ここで図２６−３０を見ると、ゴルフクラブのグリップの代表的な実施形態が６１０で示されている。ゴルフクラブのグリップ６１０は、上述のゴルフクラブのグリップ１０と実質的に同一であり、および、結果として、６００でインデックスされているが同じ参照番号がグリップ内の同様の構造に対応する構造を示すように使用される。さらに、ゴルフクラブのグリップ１０の先の記述は、下記に定める場合で、かつ図面において図示される場合を除き、ゴルフクラブのグリップ６１０に同様に適用可能である。
【００３４】
グリップ６１０は、本体６１２、および本体６１２を取り囲むラップ６１４を含む。本体６１２は、グリップ部分６１６、フロント部分６１８、およびバック部分６２０を含む。グリップ部分６１６、およびバック部分６２０は、１つの部品として形成され得、およびフロント部分６１８は、グリップ部分６１６に取り付ける別の部品として形成される。
【００３５】
フロント部分６１８は、穴７５２、またはフロント部分６１８の長さに延びる軸方向通路、および穴７５２に配置されたスペーサ（図示されない）を画定する本体７５０を含む。本体７５０は、グリップ部分１６の第２直径部分１０６内に配置されるよう構成された第１部分７７０、および第１部分７７０と一体化された第２部分７７２を含む。第１部分７７０は、長手方向に延びるスロット７７４の対を有し、および、切り抜きを含まない。スロット７７４は、各対向する半径方向内方に延びる凸部７２０と係合、またはそれを受容し、フロント部分６１８をグリップ部分６１６と整列させる。フロント部分６１８は、フロント部分１８、２１８、および４１８より小さく、かつ軽く、およびフロント部分６１８で使用されるグリップ部分１６は、上記重量比率が実現されるように、相当するような寸法にされることになることを理解されるであろう。
【００３６】
ここで図３１−３３を見ると、ゴルフクラブのグリップの代表的な実施形態が８１０で示されている。ゴルフクラブのグリップ８１０は、上述のゴルフクラブのグリップ１０と実質的に同一であり、および、結果として、８００でインデックスされているが同じ参照番号がグリップ内の同様の構造に対応する構造を示すように使用される。さらに、ゴルフクラブのグリップ１０の先の記述は、下記に定める場合で、かつ図面において図示される場合を除き、ゴルフクラブのグリップ８１０に同様に適用可能である。
【００３７】
グリップ８１０は、本体８１２、および本体８１２を取り囲むよう構成されたラップ（図示されない）を含む。本体８１２は、グリップ部分８１６、フロント部分８１８、およびバック部分８２０を含む。グリップ部分８１６、およびバック部分８２０は、１つの部品として形成され得、およびフロント部分８１８は、グリップ部分８１６に取り付ける別の部品として形成される。
【００３８】
フロント部分８１８は、ゴルファーの手の下に錘を備える重み付けしたゴルフグリップを提供するよう重み付けされる。フロント部分８１８は、穴９５２、またはフロント部分８１８の長さに延びる軸方向通路、および穴９５２に配置されたスペーサ９５４を画定する本体９５０を含む。フロント部分８１８の重み付けは、本体９５０の材料によって提供され、適切な金属のような任意の適切な材料であり得る。スペーサ９５４は、シャフト５２の外側表面に当接するよう構成され、およびシャフト５２をシールするＯリングのような適切なシールであり得る。スペーサ９５４は、穴９５２の第２直径部分９６２内に配置された第１部分９８０、および、フロント部分の第１端部でフロント部分９１８の端面と当接し、および第１端部を超えて延びる第２部分９８２を有する。スペーサ９５４は、第２直径部分９６２を係合する１以上の棘９８４のような、任意の適切な方法で本体９５０に連結され得る。スペーサ９５４は、本体８１２より前にシャフト５２上に取り付けられ得、および本体８１２がシャフト５２に取り付けられた後、スペーサ９５４は本体９５０に取り付けられる。スペーサ９５４がシャフト５２上に取り付けられるより前に本体８１２に取り付けられ得ることは理解されるであろう。
【００３９】
穴９５２は、第１直径部分９６０、および第１直径部分９６０より大きい第２直径部分を含む。穴９５２は、また、スペーサ９５４の端部によって当接される、第１および第２直径部分９６０および９６２の間にショルダ９６４を含む。
【００４０】
本体９５０は、グリップ部分８１６の第２直径部分９０６内に配置された第１部分９７０、および第１端部８３０でグリップ部分８１６の端面と当接し、かつ第１部分８３０から離れるようにテーパする、第１部分９７０と一体化された第２部分９７２を含む。第１部分９７０は、フロント部分８１８の第２端部でショルダ９０８と当接する端面を有し、およびオプションとして、長手方向に延びるスロット１７４と同様の１以上のスロット、および／または切り抜き１７６と同様の１以上の切り抜きを含み得る。
【００４１】
ここで図３４−３７を見ると、ゴルフクラブのグリップの代表的な実施形態が１０１０で示されている。ゴルフクラブのグリップ１０１０は、上述のゴルフクラブのグリップ８１０と実質的に同一であり、および、結果として、２００でインデックスされているが同じ参照番号がグリップ内の同様の構造に対応する構造を示すように使用される。さらに、ゴルフクラブのグリップ８１０の先の記述は、下記に定める場合で、かつ図面において図示される場合を除き、ゴルフクラブのグリップ１０１０に同様に適用可能である。
【００４２】
グリップ１０１０は、本体１０１２、および本体１０１２を取り囲むよう構成されたラップ（図示されない）を含む。本体１０１２は、グリップ部分１０１６、フロント部分１０１８、およびバック部分１０２０を含む。フロント部分１０１８は、ゴルファーの手の下に錘を備える重み付けしたゴルフグリップを提供するよう重み付けされる。フロント部分１０１８は、穴１１５２、またはフロント部分１０１８の長さに延びる軸方向通路、および穴１１５２に配置されたスペーサ１１５４を画定する本体１１５０を含む。スペーサ１１５４は、シャフト５２の外側表面に当接するよう構成され、およびシャフト５２をシールするＯリングのような適切なシールであり得、およびシャフト５２上への取り付け前後で本体１１５０に取り付けられ得る。
【００４３】
ここで図３８−４１を見ると、ゴルフクラブのグリップの代表的な実施形態が１２１０で示されている。ゴルフクラブのグリップ１２１０は、上述のゴルフクラブのグリップ１０と実質的に同一であり、および、結果として、１２００でインデックスされているが同じ参照番号がグリップ内の同様の構造に対応する構造を示すように使用される。さらに、ゴルフクラブのグリップ１０の先の記述は、下記に定める場合で、かつ図面において図示される場合を除き、ゴルフクラブのグリップ１２１０に同様に適用可能である。
【００４４】
グリップ１２１０は、本体１２１２、および本体１２１２を取り囲むよう構成されたラップ（図示されない）を含む。本体１２１２は、グリップ部分１２１６、フロント部分１２１８、およびバック部分１２２０を含む。グリップ部分１２１６は、フロント部分１２１８、およびバック部分１２２０は、１つの部品として、および金型内に射出されたＥＶＡフォームのような任意の適切な材料で形成され得る。
【００４５】
フロント部分１２１８は、それを通り延びる１以上のスロット１２４２、および図示された実施形態において、フロント部分１２１８を通り、およびグリップ部分１２１６内に、長手方向に延びるスロット１２４２の対を含む。スロットは、グリップ１２１０内に成型され得、または成型後にグリップに切断され得る。錘１２４４が配置される、ゴルファーの手の下のグリップ１２１０の一部の重量、および、特に、グリップ部分１２１６およびフロント部分１２１８の部分の重量が、グリップの合計重量の３０％以上であるように、スロット１２４２は、グリップ１２１０を重み付けする１以上の錘１２４４を受容するようにそれぞれ構成される。別の実施形態において、重量は、合計重量の５０％以上である。錘１２４４は、金属のような適切な材料で作製され得、および接着のような任意の適切な方法でスロット１２４２内に固定され得、または代替的に、スロット１２４２を取外可能に形成され得、グリップから錘を取外し、または使用される種々の重量を有する錘１２４４を可能にする。実施形態において、錘１２４４は、互いと同じ重量を有し得、および、別の実施形態において、それらは、異なる重量を有しる。実施形態において、錘１２４４の総合重量は、７５グラム以上である。別の実施形態において、錘１２４４の総合重量は、１００グラム以上である。別の実施形態において、錘１２４４の総合重量は、１１０グラム以上である。
【００４６】
図４０に示されるように、本体１２１２は、穴１２８０、または本体１２１２内で、および本体１２１２の長さに延びる軸方向通路を含む。穴は、フロント部分１２１８の第１端部１２６０で開口１２８４に通じる第１端部、およびプラグによって閉鎖される第２端部を有する。穴１２８０は、第１穴１３００、またはグリップ部分１２１６およびシャフト５２を受容するフロント部分１２１８を通り長手方向に延びる軸方向通路、および、第２穴１３０２、またはグリップ部分１２１６の一部およびバック部分１２２０を通り長手方向に延びる軸方向通路を含む。
【００４７】
ここで図４２−４５を見ると、ゴルフクラブのグリップの代表的な実施形態が１３１０で示されている。ゴルフクラブのグリップ１３１０は、上述のゴルフクラブのグリップ１０と実質的に同一であり、および、結果として、１３００でインデックスされているが同じ参照番号がグリップ内の同様の構造に対応する構造を示すように使用される。さらに、ゴルフクラブのグリップ１０の先の記述は、下記に定める場合で、かつ図面において図示される場合を除き、ゴルフクラブのグリップ１３１０に同様に適用可能である。
【００４８】
グリップ１３１０は、本体１３１２、および本体１３１２を取り囲むよう構成されたラップ（図示されない）を含む。本体１３１２は、グリップ部分１３１６、フロント部分１３１８、およびバック部分１３２０を含む。グリップ部分１３１６、およびバック部分１３２０は、１つの部品として形成され得、およびフロント部分１３１８は、グリップ部分１３１６に取り付ける別の部品として形成される。
【００４９】
フロント部分１３１８は、ゴルファーの手の下に錘を備える重み付けしたゴルフグリップを提供するよう重み付けられる。フロント部分１３１８は、穴１４５２、またはフロント部分１３１８の長さに延びる軸方向通路、および穴１４５２に配置されたスペーサ（図示されない）を画定する本体１４５０を含む。
【００５０】
本体１４５０は、１以上の凸部１４９４および１４９６のそれぞれ、およびパズルピース式で接続している他のスロットおよび凸部に対応するスロット１４９８および１５００のそれぞれを、それぞれ有する第１および第２半割１４９０および１４９２を含む。第１および第２半割１４９０および１４９２は、グリップ部分１３１６内に配置された第１部分（図示されない）、およびグリップ部分１３１６の端面と当接する第１部分と一体化している第２部分１４７２を有する。第１および第２半割１４９０および１４９２の各々の第１部分は、オプションとして、長手方向に延びるスロット１７４と同様の１以上のスロット、および／または切り抜き１７６と同様の１以上の切り抜きを含み得る。
【００５１】
ここで図４６−４８を見ると、ゴルフクラブのグリップの代表的な実施形態が１５１０で示されている。ゴルフクラブのグリップ１５１０は、上述のゴルフクラブのグリップ１０と実質的に同一であり、および、結果として、１５００でインデックスされているが同じ参照番号がグリップ内の同様の構造に対応する構造を示すように使用される。さらに、ゴルフクラブのグリップ１０の先の記述は、下記に定める場合で、かつ図面において図示される場合を除き、ゴルフクラブのグリップ１５１０に同様に適用可能である。
【００５２】
グリップ１５１０は、本体１５１２、および本体１５１２を取り囲むよう構成されたラップ（図示されない）を含む。本体１５１２は、グリップ部分１５１６、フロント部分１５１８、およびバック部分１５２０を含む。グリップ部分１５１６、およびバック部分１５２０は、１つの部品として形成され得、およびフロント部分１５１８は、グリップ部分１５１６に取り付ける別の部品として形成される。
【００５３】
フロント部分１５１８は、ゴルファーの手の下に錘を備える重み付けしたゴルフグリップを提供するよう重み付けられる。フロント部分１５１８は、穴（図示されない）、またはフロント部分１５１８の長さに延びる軸方向通路、および穴内に配置されたスペーサ（図示されない）を画定する本体１６５０を含む。本体１６５０は、グリップ部分１５１６内に配置された第１部分（図示されない）、およびグリップ部分１５１６の端面と当接する第１部分と一体化している第２部分１６７２を有する。第１部分は、オプションとして、長手方向に延びるスロット１７４と同様の１以上のスロット、および／または切り抜き１７６と同様の１以上の切り抜きを含み得る。
【００５４】
第２部分１６７２は、第２部分の第１および第２部分１６８６および１６８８の間にギャップ１６８４を有する。ギャップ１６８４は、第１部分１５１８に重さを加えるように一緒にカッチと閉まる第１および第２錘１６９０および１６９２を受容する。錘１６９０および１６９２の各々は、１以上の凸部１６９４および１６９６のそれぞれ、および、パズルピース式で接続する他のスロットおよび凸部に相当するスロット１６９８および１７００のそれぞれを有する。本体１６５０は、プラスチックのような適切な材料で作製され、および錘は金属のような適切な材料で作製され得る。
【００５５】
ここで図４９−５３を見ると、ゴルフクラブのグリップの代表的な実施形態が１７１０で示されている。ゴルフクラブのグリップ１７１０は、上述のゴルフクラブのグリップ１０と実質的に同一であり、および、結果として、１７００でインデックスされているが同じ参照番号がグリップ内の同様の構造に対応する構造を示すように使用される。さらに、ゴルフクラブのグリップ１０の先の記述は、下記に定める場合で、かつ図面において図示される場合を除き、ゴルフクラブのグリップ１７１０に同様に適用可能である。
【００５６】
グリップ１７１０は、本体１７１２、および本体１７１２を取り囲むよう構成されたラップ（図示されない）を含む。本体１７１２は、グリップ部分１７１６、フロント部分１７１８、およびバック部分１７２０を含む。グリップ部分１７１６、およびバック部分１７２０は、１つの部品として形成され得、およびフロント部分１７１８は、グリップ部分１７１６に取り付ける別の部品として形成される。
【００５７】
フロント部分１７１８は、ゴルファーの手の下に錘を備える重み付けしたゴルフグリップを提供するよう重み付けられる。フロント部分１７１８は、穴１８５２、またはフロント部分１７１８の長さに延びる軸方向通路を画定する本体１８５０を含む。オプションのスペーサは穴１８５２内に配置され得る。
【００５８】
本体１８５０は、１以上の凸部１８９４および１８９６のそれぞれ、およびパズルピース式で接続している他のスロットおよび凸部に対応するスロット１８９８および１９００のそれぞれを、それぞれ有する第１および第２半割１８９０および１８９２を含む。第１および第２半割１８９０および１８９２は、グリップ部分１７１６内に配置された第１部分１８７０、およびグリップ部分１７１６の端面と当接する第１部分１８７０と一体化している第２部分１８７２を有する。
【００５９】
フロント部分１７１８は、また、グリップ部分１７１６内に、例えば、オーバーモールドによって成型される挿入物１９０２、および第１および第２半割１８９０および１８９２の外側表面における溝１９０６、および挿入物１９０２の内側表面上の溝１９０８内に受容されるスナップリングのようなリング１９０４を含む。リング１９０４は、グリップ部分１７１６内の半割１８９０および１８９２を保持する。
【００６０】
ここで図５４−５９を見ると、フロント部分の代表的な実施形態が１９１８で示されている。フロント部分１９１８は、上述のフロント部分１８と実質的に同一であり、および、結果として、１９００でインデックスされているが同じ参照番号がフロント部分内の同様の構造に対応する構造を示すように使用される。さらに、フロント部分１８の先の記述は、下記に定める場合で、かつ図面において図示される場合を除き、フロント部分１９１８に同様に適用可能である。
【００６１】
フロント部分１９１８は、穴２０５２、またはフロント部分２０１８の長さに延びる軸方向通路を画定する本体２０５０を含む。本体２０５０は、グリップ部分１６内に配置された第１部分２０７０、および第１部分２０７０と一体化し、およびグリップ部分２０１６の第１端部から離れるように先細りしている第２部分２０７２を含む。図５４−５７に示すように、フロント部分１９１８は、１以上の開口、および、図示された実施形態において、第２部分２０７２において、開口２０８４の対、開口２０８６の対、および開口２０８８の対を含む。は５８および５９に示すように、各開口２０８４、２０８６、および２０８８は、各錘２０９０を受容する。本体２０５０は、プラスチックのような適切な材料で作製され得、および錘２０９０は、金属のような適切な材料で作製され得る。錘２０９０は、各開口２０８４、２０８６、および２０８８内にカッチと閉じ、および第２部分２０７２の側面上の環境から穴２０５２を塞ぐ。実施形態において、錘は、グリップ１９１０の重量を変更するように取外可能であり得る。特定の実施形態において、複数の錘が使用され得、および寸法および／または重量を変更し得る。例えば、錘２０９０は、開口２０８４内に適合し得、小さい錘は、開口２０８６内に適合し得、およびさらに小さい錘は、開口２０８８内に適合し得るが、錘は、同じ寸法であり得、および同じまたは異なる重量を有し得ることは理解されるであろう。錘２０９０は、各開口（例えば２０８４）内にカッチと閉じる１以上の凸部２０９４を有する。
【００６２】
ここで図６０−６５を見ると、ゴルフクラブのグリップの代表的な実施形態が４５１０で示されており、ゴルフクラブのグリップ４５１０は、平面を有する実質的に円形断面を有する。ゴルフクラブのグリップ４５１０は、上述のゴルフクラブのグリップ１０と実質的に同一であり、および、結果として、４５００でインデックスされているが同じ参照番号がグリップ内の同様の構造に対応する構造を示すように使用される。さらに、ゴルフクラブのグリップ１０の先の記述は、図面において図示される場合を除き、ゴルフクラブのグリップ４５１０に同様に適用可能である。
【００６３】
ここで図６６−７１を見ると、ゴルフクラブのグリップの代表的な実施形態が４６１０で示される。ゴルフクラブのグリップ４６１０は、平面およびテーパのフロント部分を有する実質的に円形断面を有する。ゴルフクラブのグリップ４６１０は、上述のゴルフクラブのグリップ１０と実質的に同一であり、および、結果として、４６００でインデックスされているが同じ参照番号がグリップ内の同様の構造に対応する構造を示すように使用される。さらに、ゴルフクラブのグリップ１０の先の記述は、図面において図示される場合を除き、ゴルフクラブのグリップ４６１０に同様に適用可能である。
【００６４】
ここで図７２−７８を見ると、ゴルフクラブのグリップの代表的な実施形態が４７１０で示される。ゴルフクラブのグリップ４７１０は、不規則な五角形の断面を有する。ゴルフクラブのグリップは、上述のゴルフクラブのグリップ１０と実質的に同一であり、および、結果として、４７００でインデックスされているが同じ参照番号がグリップ内の同様の構造に対応する構造を示すように使用される。さらに、ゴルフクラブのグリップ１０の先の記述は、図面において図示される場合を除き、ゴルフクラブのグリップ４７１０に同様に適用可能である。
【００６５】
ここで図７９−８５を見ると、ゴルフクラブのグリップの代表的な実施形態が４８１０で示される。ゴルフクラブのグリップ４８１０は、不規則な五角形の断面およびテーパのフロント部分を有する。ゴルフクラブのグリップ４８１０は、上述のゴルフクラブのグリップ１０と実質的に同一であり、および、結果として、４８００でインデックスされているが同じ参照番号がグリップ内の同様の構造に対応する構造を示すように使用される。さらに、ゴルフクラブのグリップ１０の先の記述は、図面において図示される場合を除き、ゴルフクラブのグリップ４８１０に同様に適用可能である。
【００６６】
ここで図８６−８９を見ると、ゴルフクラブのグリップの代表的な実施形態が４９１０で示される。ゴルフクラブのグリップ４９１０は、円形断面を有する。ゴルフクラブのグリップ４９１０は、上述のゴルフクラブのグリップ１０と実質的に同一であり、および、結果として、４９００でインデックスされているが同じ参照番号がグリップ内の同様の構造に対応する構造を示すように使用される。さらに、ゴルフクラブのグリップ１０の先の記述は、図面において図示される場合を除き、ゴルフクラブのグリップ４９１０に同様に適用可能である。
【００６７】
ここで図９０−９３を見ると、ゴルフクラブのグリップの代表的な実施形態が５０１０で示される。ゴルフクラブのグリップ５０１０は、円形断面およびテーパのフロント部分を有する。ゴルフクラブのグリップ５０１０は、上述のゴルフクラブのグリップ１０と実質的に同一であり、および、結果として、５０００でインデックスされているが同じ参照番号がグリップ内の同様の構造に対応する構造を示すように使用される。さらに、ゴルフクラブのグリップ１０の先の記述は、図面において図示される場合を除き、ゴルフクラブのグリップ５０１０に同様に適用可能である。
【００６８】
ここで図９４−９７を見ると、ゴルフクラブのグリップの代表的な実施形態が５１１０で示される。ゴルフクラブのグリップ５１１０は、四角形状の断面を有する。ゴルフクラブのグリップ５１１０は、上述のゴルフクラブのグリップ１０と実質的に同一であり、および、結果として、５１００でインデックスされているが同じ参照番号がグリップ内の同様の構造に対応する構造を示すように使用される。さらに、ゴルフクラブのグリップ１０の先の記述は、図面において図示される場合を除き、ゴルフクラブのグリップ５１１０に同様に適用可能である。
【００６９】
ここで図９８−１０１を見ると、ゴルフクラブのグリップの代表的な実施形態が５２１０で示される。ゴルフクラブのグリップ５２１０は、四角形状の断面およびテーパのフロント部分を有する。ゴルフクラブのグリップ５２１０は、上述のゴルフクラブのグリップ１０と実質的に同一であり、および、結果として、５２００でインデックスされているが同じ参照番号がグリップ内の同様の構造に対応する構造を示すように使用される。さらに、ゴルフクラブのグリップ１０の先の記述は、図面において図示される場合を除き、ゴルフクラブのグリップ５２１０に同様に適用可能である。
【００７０】
ここで図１０２−１０８を見ると、ゴルフクラブのグリップの代表的な実施形態が５３１０で示される。ゴルフクラブのグリップ５３１０は、テアドロップの断面を有する。ゴルフクラブのグリップ５３１０は、上述のゴルフクラブのグリップ１０と実質的に同一であり、および、結果として、５３００でインデックスされているが同じ参照番号がグリップ内の同様の構造に対応する構造を示すように使用される。さらに、ゴルフクラブのグリップ１０の先の記述は、図面において図示される場合を除き、ゴルフクラブのグリップ５３１０に同様に適用可能である。
【００７１】
ここで図１０９−１１５を見ると、ゴルフクラブのグリップの代表的な実施形態が５４１０で示される。ゴルフクラブのグリップ５４１０は、テアドロップの断面およびテーパのフロント部分を有する。ゴルフクラブのグリップ５４１０は、上述のゴルフクラブのグリップ１０と実質的に同一であり、および、結果として、５４００でインデックスされているが同じ参照番号がグリップ内の同様の構造に対応する構造を示すように使用される。さらに、ゴルフクラブのグリップ１０の先の記述は、図面において図示される場合を除き、ゴルフクラブのグリップ５４１０に同様に適用可能である。
【００７２】
ここで図１１６−１２０を見ると、フロント部分の代表的な実施形態が２２１８で示される。フロント部分２２１８は、上述のフロント部分１８と実質的に同一であり、および、結果として、２２００でインデックスされているが同じ参照番号がフロント部分内の同様の構造に対応する構造を示すように使用される。さらに、フロント部分１８の先の記述は、下記に定める場合で、かつ図面において図示される場合を除き、フロント部分２２１８に同様に適用可能である。
【００７３】
フロント部分２２１８は、穴２３５２、またはフロント部分２２１８の長さに延びる軸方向通路を画定する本体２３５０を含む。フロント部分２２１８の重み付けは、適切な金属のような任意の適切な材料であり得る、本体２３５０の材料によって提供される。本体２３５０は、グリップ部分２２１６の第２直径部分内に配置される第１部分２３７０、および第１端部でグリップ部分２２１６の端面と当接するショルダ２２７０を有する第１部分２３７０と一体化する第２部分２３７２を含む。第１部分２３７０は、第２直径部分内に押されるその外側表面上に棘を有し、グリップ部分２２１６にフロント部分２２１８を保持する。棘は、また、上記されたフロント部分上に提供され得ることは、理解されるであろう。
【００７４】
ここで図１２１および図１２２を見ると、フロント部分の代表的な実施形態が２４１８で示される。フロント部分２４１８は、上述のフロント部分１８と実質的に同一であり、および、結果として、２４００でインデックスされているが同じ参照番号がフロント部分内の同様の構造に対応する構造を示すように使用される。さらに、フロント部分１８の先の記述は、下記に定める場合で、かつ図面において図示される場合を除き、フロント部分２４１８に同様に適用可能である。
【００７５】
フロント部分２４１８は、金属のような任意の適切な材料で作製され、およびフロント部分２４１８の半割を接続しているヒンジ部分２４４６を有し得、フロント部分が図１２１に示される開放配置から図１２２に示される閉鎖配置に動かされることを可能にする。開放配置の実施形態において、フロント部分は、ゴルフクラブのシャフト上に位置され得、それから、シャフトを取り囲むように閉鎖配置に動かされ得る。それから、フロント部分は、フロント部分がグリップ部分２４１６内に受容され、かつ任意の適切な方法で固定されるまで、シャフトに沿って動かされ得る。実施形態において、フロント部分は、例えば、異なる重み付けしたフロント部分を使用するように取外可能であり得、およびグリップ部分２４１６から離れるように滑り、および開放配置に動かされ得る。実施形態において、半割は、機械的締め具によって閉鎖され得、およびグリップ部分を当接するように位置され得る。図１２１はフロント部分開放、およびグリップ部分内を示しているが、これは、説明的な目的のためだけである。
【００７６】
ここで図１２３−１２５を見ると、フロント部分の代表的な実施形態が３０１８で示される。フロント部分３０１８は、上述のフロント部分１８と実質的に同一であり、および、結果として、３０００でインデックスされているが同じ参照番号がフロント部分内の同様の構造に対応する構造を示すように使用される。さらに、フロント部分１８の先の記述は、下記に定める場合で、かつ図面において図示される場合を除き、フロント部分３０１８に同様に適用可能である。
【００７７】
フロント部分３０１８は、任意の適切な形状であり得、および金属のような任意の適切な材料で作製される重み付けした半割３０４６および３０４８を含む。スリーブ３０４９が半割を取り囲み、それらを共に保持する。スリーブは、任意の適切な形状であり得、および、実施形態において、上記テーパ部分と同様の実質的に円錐形状である。
【００７８】
ここで図１２６−１２８を見ると、ゴルフクラブのグリップの代表的な実施形態が３１１０で示される。ゴルフクラブのグリップ３１１０は、上述のゴルフクラブのグリップ１３１０と実質的に同一であり、および、結果として、１８００でインデックスされているが同じ参照番号がグリップ内の同様の構造に対応する構造を示すように使用される。さらに、ゴルフクラブのグリップ１３１０の先の記述は、下記に定める場合で、かつ図面において図示される場合を除き、ゴルフクラブのグリップ３１１０に同様に適用可能である。
【００７９】
グリップ３１１０は、グリップ部分３１１６、フロント部分３１１８、およびバック部分を含む本体３１１２を含む。フロント部分３１１８は、ゴルファーの手の下に錘を備える重み付けしたゴルフグリップを提供するよう重み付けられる。フロント部分３１１８は、穴３２５２、またはフロント部分の長さに延びる軸方向通路を画定する本体３２５０を含む。本体３２５０は、グリップ部分３１１６内に配置されるよう構成された第１部分３２７０、およびグリップ部分の端面に当接する第１部分と一体化する第２部分３２７２を含む。本体が、互いに、または単一部分と接続する複数の第２部分を含み得ることは理解されるであろう。第１部分３２７０は、グリップ部分３１１６内の対応するネジ山と整合するよう構成されたネジ山３２７３を含む。代替的に、四分の一回転ネジ山、またはプッシュターンロック機構が使用され得る。
【００８０】
ここで図１２９および図１３０を見ると、フロント部分の代表的な実施形態が２８１８および２９１８でそれぞれ示される。フロント部分２８１８および２９１８は、上述のフロント部分１３１８と実質的に同一であり、および、結果として、１５００および１６００でインデックスされているが同じ参照番号がフロント部分内の同様の構造に対応する構造を示すように使用される。さらに、フロント部分１３１８の先の記述は、下記に定める場合で、かつ図面において図示される場合を除き、フロント部分２８１８および２９１８に同様に適用可能である。
【００８１】
フロント部分２８１８、およびオプションとして、フロント部分２９１８は、グリップ部分内の対応する開口内に受容される適切な留め具を受容するための開口２８４６を含み、グリップ部分にフロント部分２８１８を固定する。フロント部分は、代替的に、任意の方法でグリップ部分に固定され得る。
【００８２】
ここで図１３１−１３５を見ると、ゴルフクラブのグリップの代表的な実施形態が３３１０で示される。ゴルフクラブのグリップ３３１０は、上述のゴルフクラブのグリップ１０と実質的に同一であり、および、結果として、３３００でインデックスされているが同じ参照番号がグリップ内の同様の構造に対応する構造を示すように使用される。さらに、ゴルフクラブのグリップ１０の先の記述は、下記に定める場合で、かつ図面において図示される場合を除き、ゴルフクラブのグリップ３３１０に同様に適用可能である。
【００８３】
グリップ３３１０は、グリップ部分３３１６、フロント部分３３１８、およびバック部分３３２０を含む本体３３１２を含む。示されるように、グリップ部分３３１６およびバック部分３３２０は、１つの部品として形成され、およびフロント部分３３１８は、グリップ部分３３１６に取り付ける別の部品として形成される。フロント部分３３１８は、１以上の錘３３９２、および図示されるように、金属錘のような複数の錘、および、テーパで示された部分３３９４を含むが、テーパ無しで提供され得る。錘の数はグリップの重量を変更するよう調節され得る。
【００８４】
錘３３９２は、グリップ部分３３１６と部分３３９４の間に挟まれ、およびグリップ部分３３１６より大きい内径を含む。錘３３９２および部分３３９４は、グリップ部分３３１６内で、および錘３３９２に近接して、溝の形態における対応する整列特徴部３３９５と篏合する、舌の形態における整列特徴部３３９３を各々含み得る。錘３３９２および部分３３９４は、また、グリップ部分３３１６内で、かつ錘３３９２に隣接して、環状溝の形態における対応する取付具特徴部３３９８と篏合する、環状舌の形態における取付具特徴部３３９６を含み得る。錘３３９２は、例えば、接着によって永久的に取り付けられ得、または、グリップ部分３３１６から部分３３９４に延びる取付具機構によって保持され得る。
【００８５】
ここで図１３６−１４２を見ると、ゴルフクラブのグリップの代表的な実施形態が３４１０で示される。ゴルフクラブのグリップ３４１０は、上述のゴルフクラブのグリップ１０と実質的に同一であり、および、結果として、３４００でインデックスされているが同じ参照番号がグリップ内の同様の構造に対応する構造を示すように使用される。さらに、ゴルフクラブのグリップ１０の先の記述は、下記に定める場合で、かつ図面において図示される場合を除き、ゴルフクラブのグリップ３４１０に同様に適用可能である。
【００８６】
グリップ３４１０は、共に一体的に形成された、グリップ部分３４１６、フロント部分３４１８、およびバック部分３４２０を含む本体３４１２を含む。フロント部分３４１８および／またはグリップ部分３４１６は、実質的に円形状の錘のような錘３４９４を受容する凹部３４９２を含む。錘３４９４は、フロント部分３４１８上を滑らされ、それによってフロント部分を圧縮し、および錘３４９４が凹部３４９２内に配置され、および凹部３４９２の端部の間に捕獲されるまで滑らされる。錘３４９４が凹部の端部を通り過ぎた後、圧縮されたフロント部分３４１８はその圧縮されていない位置に戻り、錘３４９４を捕獲する。錘３４９４下の材料は、グリップの残りより薄く、および／または軟らかく、パターシャフトが取り付けの間を通して滑らされることを可能にする。錘は、１以上の整列特徴部を含み得、所定の位置に回転させられる。
【００８７】
ここで図１４３−１５０を見ると、ゴルフクラブのグリップの代表的な実施形態が３５１０で示される。ゴルフクラブのグリップ３５１０は、上述のゴルフクラブのグリップ１０と実質的に同一であり、および、結果として、３５００でインデックスされているが同じ参照番号がグリップ内の同様の構造に対応する構造を示すように使用される。さらに、ゴルフクラブのリップ１０の先の記述は、下記に定める場合で、かつ図面において図示される場合を除き、ゴルフクラブのグリップ３５１０に同様に適用可能である。
【００８８】
グリップ３５１０は、共に一体的に形成された、グリップ部分３５１６、フロント部分３５１８、およびバック部分３５２０を含む本体３５１２を含む。フロント部分３５１８および／またはグリップ部分３５１６は、コイル錘のような錘３５９４を受容する凹部３５９２を含む。その非コイル形態において、ワイヤであり得る錘３４９４は、複数ターンのワイヤを使用して凹部３５９２の周りに巻かれ得、それによって重量増にし、およびグリップと同一平面にする。錘３５９４下の材料は、グリップの残りより薄く、および／または軟らかく、パターシャフトが取り付けの間を通して滑らされることを可能にする。
【００８９】
ここで図１５１−１５７を見ると、ゴルフクラブのグリップの代表的な実施形態が３６１０で示される。ゴルフクラブのグリップ３６１０は、上述のゴルフクラブのグリップ１０と実質的に同一であり、および、結果として、３６００でインデックスされているが同じ参照番号がグリップ内の同様の構造に対応する構造を示すように使用される。さらに、ゴルフクラブのグリップ１０の先の記述は、下記に定める場合で、かつ図面において図示される場合を除き、ゴルフクラブのグリップ３６１０に同様に適用可能である。
【００９０】
グリップ３６１０は、共に一体的に形成された、グリップ部分３６１６、フロント部分３６１８、およびバック部分３６２０を含む本体３６１２を含む。フロント部分３６１８は、１以上の穴または凹部、および図示された実施形態においては、フロント部分３６１８の表面と実質的に同一平面である、対応するような寸法とされ、成型された錘３６９４を受容するため４つの凹部３６９２を含み得る。錘は、文字またはロゴの形状のような任意の適切な形状を有し得る。実施形態において、錘は、ゴルフクラブのシャフトが存在しない領域を通り、およびシャフトが存在する所定の深さまで、ずっと押され得る。実施形態において、１以上の凹部３６９２は、錘３６９４で充填され、および１以上の凹部３６９２は、グリップの重量を変更するためのフォームプラグのような軽い重み付けしたプラグで満たされる。
【００９１】
錘は、接着のような任意の適切な方法で固定され得、または代替的に、例えば、金型の内側上錘を置き、それから錘を取り囲むように空隙内にグリップ材料を射出することによって、グリップ内に成型され得る。錘は、強度を追加、およびその場所でそれらを保つために役立つような特徴部を組み入れ得る。
【００９２】
ここで図１５８−１６５を見ると、ゴルフクラブのグリップの代表的な実施形態が３７１０で示される。ゴルフクラブのグリップ３７１０は、上述のゴルフクラブのグリップ１０と実質的に同一であり、および、結果として、３７００でインデックスされているが同じ参照番号がグリップ内の同様の構造に対応する構造を示すように使用される。さらに、ゴルフクラブのグリップ１０の先の記述は、下記に定める場合で、かつ図面において図示される場合を除き、ゴルフクラブのグリップ３７１０に同様に適用可能である。
【００９３】
グリップ３７１０は、共に一体的に形成された、グリップ部分３７１６、フロント部分３７１８、およびバック部分３７２０を含む本体３７１２を含む。グリップ部分３７１６は、１以上の穴または凹部、および図示された実施形態においては、グリップ部分３７１６を覆うラップ３７１４と実質的に同一平面である、対応するような寸法とされ、成型された錘３７９４を受容するため４つの凹部３７９２を含み得る。凹部３７９２は、錘３７９４がグリップの下側三分の一内で、かつゴルファーの手の下にあるように、フロント部分３７１８の近位に提供される。ラップ３７１４は、錘３７９４を曝している開口を備え示されているが、開口無しで提供され得、および図１９８に示されるようにフロント部分３７１８と同一平面であり得、または示されるように提供され得る。
【００９４】
図１６４および１６５に示される最良のように、凹部３７９２、および錘３７９４は、蟻継形状のような任意の適切な形状であり得、凹部３７９２および錘３７９４の他方の上の凸部３７９６と篏合するため、それらの各長さに延びる対応するような形状の切欠き３７９８によって分離された、それらの各長さに延びる複数の離間されたテーパの凸部３７９６を各々含む。図示される実施形態において、錘３７９４は、例えば、錘のための窓内である、金型内に配置され得、それからグリップ材料が錘を取り囲む空隙内に射出され、錘の周りに成型された凹部３７９２の凸部３７９６および切欠き３７９８を形成する。錘３７９４は、錘の縁とグリップ部分３７１６の外側表面の間のギャップを提供するそれらの周囲の周りに切り抜き３７９９を各々含み、成型の間、ばりを最小、または除去し、および切り抜き３７９９が成型の後、ラップ３７１４によって覆われ得る。
【００９５】
錘は、文字またはロゴの形状のような任意の適切な形状を有し得る。実施形態において、錘は、ゴルフクラブのシャフトが存在しない領域を通り、およびシャフトが存在する所定の深さまで、ずっと押され得る。実施形態において、１以上の凹部３７９２は、錘３７９４で充填され、および１以上の凹部３７９２は、グリップの重量を変更するためのフォームプラグのような軽い重み付けしたプラグで満たされる。
【００９６】
別の実施形態において、錘は、例えば、接着によって、成型後にグリップに取り付けられ得、および錘は、グリップの対応する領域と篏合する銃眼付き胸壁のような下部形状を有し得る。錘は、強度を追加、およびその場所でそれらを保つために役立つような特徴部を組み入れ得る。
【００９７】
ここで図１６６−１７４を見ると、ゴルフクラブのグリップの代表的な実施形態が３８１０で示される。ゴルフクラブのグリップ３８１０は、上述のゴルフクラブのグリップ３７１０と実質的に同一であり、および、結果として、１００でインデックスされているが同じ参照番号がグリップ内の同様の構造に対応する構造を示すように使用される。さらに、ゴルフクラブのグリップ３７１０の先の記述は、下記に定める場合で、かつ図面において図示される場合を除き、ゴルフクラブのグリップ３８１０に同様に適用可能である。
【００９８】
グリップ３８１０は、共に一体的に形成された、グリップ部分３８１６、フロント部分３８１８、およびバック部分３８２０を含む本体３８１２を含む。グリップ部分３８１６は、１以上の穴または凹部、および図示された実施形態においては、グリップ部分３８１６の表面と実質的に同一平面である、対応するような寸法とされ、成型された錘３８９４を受容するため４つの凹部３８９２を含み得る。凹部３８９２は、錘３８９４がグリップの下側三分の一内で、かつゴルファーの手の下にあるように、フロント部分３８１８の近位に提供される。図示された実施形態において、グリップはラップを含まず、および錘３８９４は、錘の縁とグリップ部分３８１６の外側表面の間にギャップを提供するそれらの周囲の周りに切り抜き３８９９を含み、成型の間、ばりを最小、または除去する。
【００９９】
ここで図１７５−１８３を見ると、ゴルフクラブのグリップの代表的な実施形態が３９１０で示される。ゴルフクラブのグリップ３９１０は、上述のゴルフクラブのグリップ１０と実質的に同一であり、および、結果として、３９００でインデックスされているが同じ参照番号がグリップ内の同様の構造に対応する構造を示すように使用される。さらに、ゴルフクラブのグリップ１０の先の記述は、下記に定める場合で、かつ図面において図示される場合を除き、ゴルフクラブのグリップ３９１０に同様に適用可能である。
【０１００】
グリップ３９１０は、グリップ部分３９１６、フロント部分３９１８、およびバック部分３９２０を含む本体３９１２を含む。示されるように、グリップ部分３９１６およびバック部分３９２０は、１つの部品として形成され、およびフロント部分３９１８は、グリップ部分３９１６に取り付ける別の部品として形成される。グリップ部分３９１６は、錘３９９４を受容するグリップ部分３９１６の本体の直径未満の直径を有する、その第１端部３９３０に凸部３９９２を含み、そのため、錘３９９４の外側表面は、グリップ部分３９１６の本体と実質的に同一平面である。それから、フロント部分３９１８は、錘３９９４に近接して配置され、そのため、錘は、フロント部分３９１８とグリップ部分３９１６の本体の間に挟まれる。それから、フロント部分３９１８は、例えば、超音波溶接によって、凸部３９９２に溶接される。図示される実施形態において、凸部３９９２は、最小のエネルギ必要量で凸部３９９２の残りより早く溶けることになる小さい領域を作る山部と谷部を含み、および部分は、図１８１に示されるように、フロント部分３９１８が錘３９９４と当接するまで共に加圧される。フロント部分３９１８が凸部３９９２の端部を受容する溝を含み得、整列を援助し、および／または対応する山部および谷部、または、ピン部、舌部等を含み得る。
【０１０１】
ここで図１８４−１８９を見ると、ゴルフクラブのグリップの代表的な実施形態が４０１０で示される。ゴルフクラブのグリップ４０１０は、上述のゴルフクラブのグリップ１０と実質的に同一であり、および、結果として、４０００でインデックスされているが同じ参照番号がグリップ内の同様の構造に対応する構造を示すように使用される。さらに、ゴルフクラブのグリップ１０の先の記述は、下記に定める場合で、かつ図面において図示される場合を除き、ゴルフクラブのグリップ４０１０に同様に適用可能である。
【０１０２】
グリップ４０１０は、グリップ部分４０１６、フロント部分４０１８、およびバック部分４０２０を含む本体４０１２を含む。示されるように、グリップ部分４０１６およびバック部分４０２０は、１つの部品として形成され、およびフロント部分４０１８は、グリップ部分４０１６に取り付ける別の部品として形成される。グリップ部分４０１６は、錘４０９４を受容するグリップ部分４０１６の本体の直径未満の直径を有する、その第１端部４０３０に凸部４０９２を含み、そのため、錘４０９４の外側表面は、グリップ部分４０１６の本体と実質的に同一平面である。それから、フロント部分４０１８は、錘４０９４に近接して配置され、そのため、錘は、フロント部分４０１８とグリップ部分４０１６の本体の間に挟まれる。それから、フロント部分４０１８は、例えば、スピン溶接によって、凸部４０９２に溶接される。図示される実施形態において、凸部４０９２は、フロント部分４０１８において環状溝４０９８内に受容されるテーパ部分４０９６を含む。これらの特徴部は、部品の典型的な壁部部分より大きい溶接領域を有し、および部品の整列に十分な部品を提供する。特徴部は、スピン溶接を適応させる円形の軸を有し、およびスピニングを可能にする駆動特徴部を有し得る。
【０１０３】
ここで図１９０−１９５を見ると、ゴルフクラブのグリップの代表的な実施形態が４１１０で示される。ゴルフクラブのグリップ４１１０は、上述のゴルフクラブのグリップ１０と実質的に同一であり、および、結果として、４１００でインデックスされているが同じ参照番号がグリップ内の同様の構造に対応する構造を示すように使用される。さらに、ゴルフクラブのグリップ１０の先の記述は、下記に定める場合で、かつ図面において図示される場合を除き、ゴルフクラブのグリップ４１１０に同様に適用可能である。
【０１０４】
グリップ４１１０は、共に一体的に形成された、グリップ部分４１１６、フロント部分４１１８、およびバック部分４１２０を含む本体４１１２を含む。フロント部分４１１８、または代替的にグリップ部分４１１６、または、フロント部分４１１８およびグリップ部分４１１６は、タングステン粉末または他の重金属のような、高密度材料のような材料が射出される空隙またはポケット４１９２を含む。実施形態において、空隙４１９２は、高密度材料および接着剤で成型後に充填され得る。別の実施形態おいて、本体４１１２の材料は、フロント部分４１１８およびグリップ部分４１１６の一部からなり、かつ、グリップの残りより重い下側三分の一で、例えば、最高密度を有する開口を有するフロント部分４１１８の領域で、その長さに沿って密度が変化し得る。
【０１０５】
ここで図１９８−２０４を見ると、ゴルフクラブのグリップの代表的な実施形態が４２１０で示される。ゴルフクラブのグリップ４２１０は、上述のゴルフクラブのグリップ１０と実質的に同一であり、および、結果として、４２００でインデックスされているが同じ参照番号がグリップ内の同様の構造に対応する構造を示すように使用される。さらに、ゴルフクラブのグリップ１０の先の記述は、下記に定める場合で、かつ図面において図示される場合を除き、ゴルフクラブのグリップ４２１０に同様に適用可能である。
【０１０６】
グリップ４２１０は、グリップ部分４２１６、フロント部分４２１８、およびバック部分４２２０を含む本体４２１２を含む。グリップ部分４２１６およびバック部分４２２０は、１つの部品として形成され得、およびゴムのような任意の適切な材料であり、およびフロント部分４２１８は、グリップ部分４２１６に取り付ける、金属のような任意の適切な材料の別の部品として形成される。ラップは本体の周りに配置され得る。
【０１０７】
グリップ部分４２１６は、穴４２８０、または軸方向通路を有する。穴は、グリップ部分４２１６の第１端部で開口に通じる第１端部、および閉鎖される第２端部を有する。穴４２８０は、ゴルフクラブのシャフトの直径と実質的に等しい第１直径部分４３０４、およびフロント部分４２１８の一部を受容する第１直径部分４３０４より大きい第２直径部分４３０６を含む。穴は、フロント部分によって当接された第１および第２直径部分４３０４および４３０６の間にショルダ４３０８を有し、図示されるように、第２直径部分４３０６と第１直径部分４３０４の間に面取部を有する。グリップ部分４２１６は、穴におけるフロント部分４２１８の一部の厚さＴ２より大きく、５０％超である、第２直径部分４３０６の周りに、図２００に示されるように厚さＴ１を有する。グリップ部分４２１６は、また、ショルダ４３０８付近の厚さＴ２未満である、図２０２に示され、および図２００の下部における厚さＴ３を有し、および厚さは、厚さＴ１に対してフロント部分の方に徐々に増加する。グリップ部分４２１６およびフロント部分４２１８は、それらが互いに同一平面であるように、それらが当接する、同じ外径、または実質的に同じ外径を有するように、部分は形成される。
【０１０８】
フロント部分４２１８は、ゴルファーの手の下に錘を備える重み付けしたゴルフグリップを提供するように重み付けされる。グリップは合計重量を有し、およびフロント部分は、グリップの合計重量の３０％以上である重量を有し、および、実施形態において、グリップの合計重量の４０％以上である重量を有する。実施形態において、フロント部分の重量は、２５グラム以上であり、およびグリップの合計重量は、５５グラム以上である。
【０１０９】
ここで図２０５−２１０を見ると、ゴルフクラブのグリップの代表的な実施形態が４３１０で示される。ゴルフクラブのグリップ４３１０は、上述のゴルフクラブのグリップ１０と実質的に同一であり、および、結果として、４３００でインデックスされているが同じ参照番号がグリップ内の同様の構造に対応する構造を示すように使用される。さらに、ゴルフクラブのグリップ１０の先の記述は、下記に定める場合で、かつ図面において図示される場合を除き、ゴルフクラブのグリップ４３１０に同様に適用可能である。
【０１１０】
グリップ４３１０は、グリップ部分４３１６、フロント部分４３１８、およびバック部分４３２０を含む本体４３１２を含む。グリップ部分４３１６およびバック部分４３２０は、１つの部品として形成され得、およびゴムのような任意の適切な材料であり、およびフロント部分４３１８は、グリップ部分４３１６に取り付ける、金属のような任意の適切な材料の別の部品として形成される。ラップは本体の周りに配置され得る。
【０１１１】
ここで図２１１−２１４を見ると、ゴルフクラブのグリップの代表的な実施形態が４４１０で示される。ゴルフクラブのグリップ４４１０は、上述のゴルフクラブのグリップ１０と実質的に同一であり、および、結果として、４４００でインデックスされているが同じ参照番号がグリップ内の同様の構造に対応する構造を示すように使用される。さらに、ゴルフクラブのグリップ１０の先の記述は、下記に定める場合で、かつ図面において図示される場合を除き、ゴルフクラブのグリップ４４１０に同様に適用可能である。
【０１１２】
グリップは、本体４４１２、および本体の一部を取り囲むラップ４４１４を含む。本体４４１２は、グリップ部分４４１６、フロント部分４４１８、およびバック部分４４２０を含む。グリップ部分４４１６、フロント部分４４１８、およびバック部分４４２０は、１つの部品として形成され、および金型内に射出されたＥＶＡフォームのような任意の適切な材料である。代替的に、グリップ部分およびバック部分は、１つの部品として形成され、およびフロント部分は、図１に関して上記されるように重み付けされる別の部品として形成される。ラップ４４１４は本体の周りに配置され得る。
【０１１３】
ラップ４４１４は、天然、合成、熱可塑性等のような適切なゴムで作製され、および図示されるように、伸張すること、巻くこと、熱収縮すること、滑らせることのような任意の方法で、コアより大きいチューブ上に滑らせ、それからコア等の上にチューブを滑り落とさせることで取り付けられたシームレスゴムスリーブである。示されるように、ラップは、ラップがグリップ部分に取り付けられないとき、グリップ部分４４１６の幾何学的形状と実質的に同じである幾何学的形状のような非円状の幾何学的形状を有し、そのため、ラップがグリップ部分に取り付けられるとき、グリップ部分の形状は、ラップによって歪まされない。スリーブの内径は、グリップ部分４４１６の周囲より少し小さい。グリップは、コアの材料のため軽量であり、および伝統的なゴムグリップと同じ感触を備える特大のパターグリップをゴルファーに提供する。例えば、グリップは、粘着性の非スリップ表面を提供する。ゴムスリーブは、射出成型のような任意の適切な方法で作製され得、および着色したゴム部分を受容する溝を含み得る。
【０１１４】
上記の錘は、フォームおよびゴムのコアの双方を有するグリップに提供し得ることは理解されるであろう。上記のグリップおよびグリップの部分が、成型、付加製造等のような任意の適切な方法で形成され得ることは理解されるであろう。実施形態において、フロント部分は、グリップ部分上に直接３Ｄプリントし得る。種々の密度の材料が成型の間に使用され得、例えば、複数の材料を使用すること、成型された材料内にポケットを作ること等で、材料の多孔性を増加／減少することによって、例えば、重み付けしたフロント部分を作製することは理解されるであろう。重さを提供するように、粉末または小片の金属が成型の間にグリップ内に埋められ得ることはさらに理解されるであろう。例えば、錘が、金型の内側に配置され得、およびグリップ材料が錘を取り囲むように残っている空隙内に射出され、およびその場でそれを保持する。
【０１１５】
ゴルフクラブのシャフト上にゴルフクラブのグリップを取り付ける方法は、グリップ部分がシャフトに取り付けられる前または後のいずれかに、上記のフロント部分の１つをグリップ部分とゴルフクラブのヘッドの間のグリップ部分に取り付けること、それによって、ゴルフクフクラブのヘッドの重量を効率的に増加させることを含む。クラブのシャフト上に取り付けられたゴルフクラブのグリップを有するゴルフクラブ上に、別な方法ではグリップの取付具と呼ばれる、重み付けしたフロント部分を取り付ける方法は、フロント部分をグリップとゴルフクラブのヘッドの間のグリップに取り付けることを含む。実施形態において、フロント部分は、ゴルフクラブのグリップの重量の８０％以上の重量を有する。別の実施形態において、フロント部分は、ゴルフクラブのグリップの重量の１００％以上の重量を有する。
【０１１６】
方向および加速の不一致を最小にするような、パタースイングにおける不一致を軽減する方法を提供する上記が提供される。下側三分の一、中央三分の一、および上側三分の一にパターグリップを三等分することを含み、上側三分の一がパターの手元端部を形成し、下側三分の一がパターのヘッドと中央および上側三分の一の間にあり、およびパターグリップの下側三分の一の重量が中央および上側三分の一の総合重量より大きくなるように、パターグリップの下側三分の一内に金属製錘を組み入れる。パターグリップは、上述されるように、一体化フロント部分を備えるグリップ、または、グリップ部分に取り付けられたフロント部分を含み得る。グリップの例は、図示されるよう、下側三分の一Ｌ１、中央三分の一Ｍ１、および上側三分の一Ｕ１で、または図示されるよう、下側三分の一Ｌ２、中央三分の一Ｍ２、および上側三分の一Ｕ２で、図１９６および図１９７に示される。
【０１１７】
特定の実施形態が示され、かつ記載されたが、添付の特許請求の範囲の範囲内に含まれる均等物および変更物が、本願明細書を読むこと、および理解することで当業者であれば想到するであろうことは理解される。
【図１】
2019535443.tif 000003
【図２】
2019535443.tif 000004
【図３】
2019535443.tif 000005
【図４】
2019535443.tif 000006
【図５】
2019535443.tif 000007
【図６】
2019535443.tif 000008
【図７】
2019535443.tif 000009
【図８】
2019535443.tif 000010
【図９】
2019535443.tif 000011
【図１０】
2019535443.tif 000012
【図１１】
2019535443.tif 000013
【図１２】
2019535443.tif 000014
【図１３】
2019535443.tif 000015
【図１４】
2019535443.tif 000016
【図１５】
2019535443.tif 000017
【図１６】
2019535443.tif 000018
【図１７】
2019535443.tif 000019
【図１８】
2019535443.tif 000020
【図１９】
2019535443.tif 000021
【図２０】
2019535443.tif 000022
【図２１】
2019535443.tif 000023
【図２２】
2019535443.tif 000024
【図２３】
2019535443.tif 000025
【図２４】
2019535443.tif 000026
【図２５】
2019535443.tif 000027
【図２６】
2019535443.tif 000028
【図２７】
2019535443.tif 000029
【図２８】
2019535443.tif 000030
【図２９】
2019535443.tif 000031
【図３０】
2019535443.tif 000032
【図３１】
2019535443.tif 000033
【図３２】
2019535443.tif 000034
【図３３】
2019535443.tif 000035
【図３４】
2019535443.tif 000036
【図３５】
2019535443.tif 000037
【図３６】
2019535443.tif 000038
【図３７】
2019535443.tif 000039
【図３８】
2019535443.tif 000040
【図３９】
2019535443.tif 000041
【図４０】
2019535443.tif 000042
【図４１】
2019535443.tif 000043
【図４２】
2019535443.tif 000044
【図４３】
2019535443.tif 000045
【図４４】
2019535443.tif 000046
【図４５】
2019535443.tif 000047
【図４６】
2019535443.tif 000048
【図４７】
2019535443.tif 000049
【図４８】
2019535443.tif 000050
【図４９】
2019535443.tif 000051
【図５０】
2019535443.tif 000052
【図５１】
2019535443.tif 000053
【図５２】
2019535443.tif 000054
【図５３】
2019535443.tif 000055
【図５４】
2019535443.tif 000056
【図５５】
2019535443.tif 000057
【図５６】
2019535443.tif 000058
【図５７】
2019535443.tif 000059
【図５８】
2019535443.tif 000060
【図５９】
2019535443.tif 000061
【図６０】
2019535443.tif 000062
【図６１】
2019535443.tif 000063
【図６２】
2019535443.tif 000064
【図６３】
2019535443.tif 000065
【図６４】
2019535443.tif 000066
【図６５】
2019535443.tif 000067
【図６６】
2019535443.tif 000068
【図６７】
2019535443.tif 000069
【図６８】
2019535443.tif 000070
【図６９】
2019535443.tif 000071
【図７０】
2019535443.tif 000072
【図７１】
2019535443.tif 000073
【図７２】
2019535443.tif 000074
【図７３】
2019535443.tif 000075
【図７４】
2019535443.tif 000076
【図７５】
2019535443.tif 000077
【図７６】
2019535443.tif 000078
【図７７】
2019535443.tif 000079
【図７８】
2019535443.tif 000080
【図７９】
2019535443.tif 000081
【図８０】
2019535443.tif 000082
【図８１】
2019535443.tif 000083
【図８２】
2019535443.tif 000084
【図８３】
2019535443.tif 000085
【図８４】
2019535443.tif 000086
【図８５】
2019535443.tif 000087
【図８６】
2019535443.tif 000088
【図８７】
2019535443.tif 000089
【図８８】
2019535443.tif 000090
【図８９】
2019535443.tif 000091
【図９０】
2019535443.tif 000092
【図９１】
2019535443.tif 000093
【図９２】
2019535443.tif 000094
【図９３】
2019535443.tif 000095
【図９４】
2019535443.tif 000096
【図９５】
2019535443.tif 000097
【図９６】
2019535443.tif 000098
【図９７】
2019535443.tif 000099
【図９８】
2019535443.tif 000100
【図９９】
2019535443.tif 000101
【図１００】
2019535443.tif 000102
【図１０１】
2019535443.tif 000103
【図１０２】
2019535443.tif 000104
【図１０３】
2019535443.tif 000105
【図１０４】
2019535443.tif 000106
【図１０５】
2019535443.tif 000107
【図１０６】
2019535443.tif 000108
【図１０７】
2019535443.tif 000109
【図１０８】
2019535443.tif 000110
【図１０９】
2019535443.tif 000111
【図１１０】
2019535443.tif 000112
【図１１１】
2019535443.tif 000113
【図１１２】
2019535443.tif 000114
【図１１３】
2019535443.tif 000115
【図１１４】
2019535443.tif 000116
【図１１５】
2019535443.tif 000117
【図１１６】
2019535443.tif 000118
【図１１７】
2019535443.tif 000119
【図１１８】
2019535443.tif 000120
【図１１９】
2019535443.tif 000121
【図１２０】
2019535443.tif 000122
【図１２１】
2019535443.tif 000123
【図１２２】
2019535443.tif 000124
【図１２３】
2019535443.tif 000125
【図１２４】
2019535443.tif 000126
【図１２５】
2019535443.tif 000127
【図１２６】
2019535443.tif 000128
【図１２７】
2019535443.tif 000129
【図１２８】
2019535443.tif 000130
【図１２９】
2019535443.tif 000131
【図１３０】
2019535443.tif 000132
【図１３１】
2019535443.tif 000133
【図１３２】
2019535443.tif 000134
【図１３３】
2019535443.tif 000135
【図１３４】
2019535443.tif 000136
【図１３５】
2019535443.tif 000137
【図１３６】
2019535443.tif 000138
【図１３７】
2019535443.tif 000139
【図１３８】
2019535443.tif 000140
【図１３９】
2019535443.tif 000141
【図１４０】
2019535443.tif 000142
【図１４１】
2019535443.tif 000143
【図１４２】
2019535443.tif 000144
【図１４３】
2019535443.tif 000145
【図１４４】
2019535443.tif 000146
【図１４５】
2019535443.tif 000147
【図１４６】
2019535443.tif 000148
【図１４７】
2019535443.tif 000149
【図１４８】
2019535443.tif 000150
【図１４９】
2019535443.tif 000151
【図１５０】
2019535443.tif 000152
【図１５１】
2019535443.tif 000153
【図１５２】
2019535443.tif 000154
【図１５３】
2019535443.tif 000155
【図１５４】
2019535443.tif 000156
【図１５５】
2019535443.tif 000157
【図１５６】
2019535443.tif 000158
【図１５７】
2019535443.tif 000159
【図１５８】
2019535443.tif 000160
【図１５９】
2019535443.tif 000161
【図１６０】
2019535443.tif 000162
【図１６１】
2019535443.tif 000163
【図１６２】
2019535443.tif 000164
【図１６３】
2019535443.tif 000165
【図１６４】
2019535443.tif 000166
【図１６５】
2019535443.tif 000167
【図１６６】
2019535443.tif 000168
【図１６７】
2019535443.tif 000169
【図１６８】
2019535443.tif 000170
【図１６９】
2019535443.tif 000171
【図１７０】
2019535443.tif 000172
【図１７１】
2019535443.tif 000173
【図１７２】
2019535443.tif 000174
【図１７３】
2019535443.tif 000175
【図１７４】
2019535443.tif 000176
【図１７５】
2019535443.tif 000177
【図１７６】
2019535443.tif 000178
【図１７７】
2019535443.tif 000179
【図１７８】
2019535443.tif 000180
【図１７９】
2019535443.tif 000181
【図１８０】
2019535443.tif 000182
【図１８１】
2019535443.tif 000183
【図１８２】
2019535443.tif 000184
【図１８３】
2019535443.tif 000185
【図１８４】
2019535443.tif 000186
【図１８５】
2019535443.tif 000187
【図１８６】
2019535443.tif 000188
【図１８７】
2019535443.tif 000189
【図１８８】
2019535443.tif 000190
【図１８９】
2019535443.tif 000191
【図１９０】
2019535443.tif 000192
【図１９１】
2019535443.tif 000193
【図１９２】
2019535443.tif 000194
【図１９３】
2019535443.tif 000195
【図１９４】
2019535443.tif 000196
【図１９５】
2019535443.tif 000197
【図１９６】
2019535443.tif 000198
【図１９７】
2019535443.tif 000199
【図１９８】
2019535443.tif 000200
【図１９９】
2019535443.tif 000201
【図２００】
2019535443.tif 000202
【図２０１】
2019535443.tif 000203
【図２０２】
2019535443.tif 000204
【図２０３】
2019535443.tif 000205
【図２０４】
2019535443.tif 000206
【図２０５】
2019535443.tif 000207
【図２０６】
2019535443.tif 000208
【図２０７】
2019535443.tif 000209
【図２０８】
2019535443.tif 000210
【図２０９】
2019535443.tif 000211
【図２１０】
2019535443.tif 000212
【図２１１】
2019535443.tif 000213
【図２１２】
2019535443.tif 000214
【図２１３】
2019535443.tif 000215
【図２１４】
2019535443.tif 000216
【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
ゴルフクラブ用グリップであって、
第１端部および第２端部と穴とを有するグリップ部分であって、前記穴が前記第１端部で前記ゴルフクラブのシャフトを受容する前記グリップ部分を通り長手方向に延びる、グリップ部分と、
前記グリップ部分の前記第２端部に隣接するバック部分と、
前記第１端部で前記グリップ部分に隣接するフロント部分であって、第１端部および第２端部と穴とを有し、前記ゴルフクラブの前記シャフトが前記穴を通り、かつ前記グリップ部分の前記穴内に延びるよう構成されるように、前記穴が前記フロント部分を通り長手方向に延びる、フロント部分と、を含み、
前記グリップの合計重量が第１重量であり、前記フロント部分が前記第１重量の３０％以上である第２重量である、グリップ。
【請求項２】
前記フロント部分が前記穴と、前記第１端部で前記穴内に配置されたスペーサと、を画定する本体を含み、前記スペーサが前記シャフトの外側表面と当接するよう構成されている、請求項１に記載のグリップ。
【請求項３】
前記フロント部分の前記穴が第１直径部分と、前記第１直径部分より大きい第２直径部分を有し、前記スペーサが前記第２直径部分に配置される、請求項２に記載のグリップ。
【請求項４】
前記フロント部分が前記スペーサによって当接された、前記第１直径部分と前記第２直径部分との間のショルダを含む、請求項３に記載のグリップ。
【請求項５】
前記フロント部分の前記本体が前記第２端部から前記第１端部の方に長手方向に延びる１以上のスロットを含み、前記スロットが前記本体の壁を通り前記穴内に延びる、請求項２ないし４のいずれか一項に記載のグリップ。
【請求項６】
前記スペーサが前記シャフトを取り囲み、かつ流体および／または破片を前記穴に入ることから抑制するように前記シャフトをシールするよう構成された圧縮可能材料製であり、および／または、前記スペーサが前記穴内に配置された第１部分と、前記第１端部で前記フロント部分の端面と当接し、かつ前記第１端部を超えて延びる第２部分と、を有する、請求項２ないし５のいずれか一項に記載のグリップ。
【請求項７】
前記本体が前記グリップ部分の前記穴内に配置された第１部分と、前記第１端部で前記グリップ部分の端面と当接し、かつ前記第１端部から離れるようなテーパである第２部分と、を含む、請求項２ないし６のいずれか一項に記載のグリップ。
【請求項８】
前記グリップ部分の前記穴が第１直径部分と、前記第１直径部分より大きい第２直径部分と、を有し、前記フロント部分の前記本体の第１部分が前記グリップ部分の前記第２直径部分内に配置される、請求項７に記載のグリップ。
【請求項９】
前記グリップ部分が前記フロント部分の前記本体の前記第１部分によって当接された、前記第１直径部分と前記第２直径部分との間の内部ショルダを含む、請求項８に記載のグリップ。
【請求項１０】
前記第２重量が７５グラム以上である、または、前記第２重量が前記第１重量の５０％以上である、請求項１ないし９のいずれか一項に記載のグリップ。
【請求項１１】
パタースイングにおける方向および加速の不一致を軽減する方法であって、
下側三分の一と、上側三分の一と、前記下側三分の一と前記上側三分の一との間の中央三分の一とにパターグリップを三等分することであって、前記上側三分の一がパターの手元端部を形成し、前記下側三分の一が前記パターのヘッドと前記中央および上側三分の一との間にある、三等分することと、
金属製錘を前記パターグリップの前記下側三分の一に組み入れることであって、前記グリップの前記下側三分の一の重量が前記グリップ前記中央および上側三分の一の総合重量の８０％以上である、組み入れることと、を含む方法。
【国際調査報告】
2019535443.tif 000217
2019535443.tif 000218
2019535443.tif 000219